(57)【特許請求の範囲】
【請求項１】
無線ピアツーピア無線通信ネットワークにおけるピアツーピア通信デバイスを操作する方法において、
ブロードキャスト・データを受信する１又は複数の他のピアツーピア通信デバイスに向けて、データをブロードキャストする意図を示すブロードキャスト・インジケータ・シグナルをブロードキャストすることと、
前記ブロードキャスト・インジケータ・シグナルの送信の後に続く１又は複数の干渉制御信号を監視することと、ここで、前記１又は複数の干渉制御信号のそれぞれは、前記１又は複数の他のピアツーピア通信デバイスのうちの一つが、複数のブロードキャスト・インジケータ・シグナルを受信した場合に、前記１又は複数の他のピアツーピア通信デバイスのうちの前記一つにより送信される、
前記監視の結果に基づいて、データをブロードキャストすることを開始するか否かを決定することを含む方法。
【請求項２】
前記ブロードキャスト・インジケータ・シグナルは、第１のプライオリティー・レベルを持ち、
前記監視することにより検出された個々の干渉制御信号は、それぞれ、プライオリティー・レベルを持ち、
前記ブロードキャストすることを開始するか否かを決定することは、前記第１のプライオリティー・レベルより高いプライオリティーを持つ干渉制御信号が受信されたかどうかを判定することを含む請求項１に記載の方法。
【請求項３】
ブロードキャストすることを開始するか否かを決定することは、干渉制御信号が前記第１のプライオリティー・レベルより高いプライオリティーを持つ場合に、前記第１のプライオリティー・レベルより高いプライオリティーを持つ少なくとも一つの受信された干渉制御信号の電力レベルに基づいて、干渉判定をすることを含む請求項２に記載の方法。
【請求項４】
ブロードキャストすることを開始するか否かを決定することは、該ブロードキャストが開始するならば、前記第１のプライオリティー・レベルより高いプライオリティーを持つ前記干渉制御信号を送信した前記ピアツーピア通信デバイスに、閾値レベル以上の干渉レベルがもたらされるであろうことを前記干渉判定が判定する場合に、ブロードキャストしないことに決定することを含む請求項３に記載の方法。
【請求項５】
前記データをブロードキャストすることを開始するか否かの決定が、データをブロードキャストする決定である場合に、前記送信されたブロードキャスト・インジケータ・シグナルに対応するトラフィック・スロットにおいてデータをブロードキャストすることを更に含む請求項３に記載の方法。
【請求項６】
データをブロードキャストする意図を示す第２のブロードキャスト・インジケータ・シグナル（該第２のブロードキャスト・インジケータ・シグナルは、前記第１のプライオリティー・レベルとは異なる第２のプライオリティー・レベルで送信される。）を示すことを更に含む請求項２に記載の方法。
【請求項７】
第２のブロードキャスト・インジケータ・シグナルを送信するのに先立って、時間依存性の関数に基づいて、該第２のプライオリティー・レベルを決定する請求項６に記載の方法。
【請求項８】
前記第２のプライオリティー・レベルを決定する前記ステップは、前記ブロードキャスト送信方法を実装しているピアツーピア通信デバイスに対応する識別子にも基づく請求項７に記載の方法。
【請求項９】
前記ブロードキャスト・インジケータ・シグナルは、ＯＦＤＭシンボルのシングルトーンの上で送信される請求項２に記載の方法。
【請求項１０】
無線ピアツーピア無線通信ネットワークにおけるピアツーピア通信デバイスにおいて、
信号を送信するための無線送信機と、
データをブロードキャストする意図を示すブロードキャスト・インジケータ・シグナルを生成するように構成されたブロードキャスト・インジケータ・シグナル生成モジュールと、
ブロードキャスト・データを受信する１又は複数の他のピアツーピア通信デバイスに向けて、前記生成されたブロードキャスト・インジケータ・シグナルをブロードキャストするように前記無線送信機を制御するように構成されたブロードキャスト・インジケータ・シグナル制御モジュールと、
前記ブロードキャスト・インジケータ・シグナルの送信の後に続く１又は複数の干渉制御信号を監視するように構成されたレスポンス監視モジュールと、ここで、前記１又は複数の干渉制御信号のそれぞれは、前記１又は複数の他のピアツーピア通信デバイスのうちの一つが、複数のブロードキャスト・インジケータ・シグナルを受信した場合に、前記１又は複数の他のピアツーピア通信デバイスのうちの前記一つにより送信される、
前記監視の結果に基づいて、データをブロードキャストすることを開始するか否かを決定するように構成されたブロードキャスト決定モジュールとを含むピアツーピア通信デバイス。
【請求項１１】
前記ブロードキャスト・インジケータ・シグナルは、第１のプライオリティー・レベルを持ち、
前記監視することにより検出された個々の干渉制御信号は、それぞれ、プライオリティー・レベルを持ち、
前記ピアツーピア通信デバイスは、
前記第１のプライオリティー・レベルより高いプライオリティーを持つ干渉制御信号が受信されたかどうか判定するように構成されたプライオリティー比較モジュールを更に含み、
前記ブロードキャスト決定モジュールは、前記プライオリティー比較モジュールの決定の関数として、データをブロードキャストすることを開始するか否か判定するように構成された請求項１０に記載のピアツーピア通信デバイス。
【請求項１２】
受信された干渉制御信号の電力レベルを測定するように構成された電力測定モジュールを更に含み、
前記ブロードキャスト決定モジュールは、前記レスポンス監視モジュールにより前記第１のプライオリティー・レベルより高いプライオリティーを持つ干渉制御信号が検出された場合に、前記第１のプライオリティー・レベルより高いプライオリティーを持つ受信された少なくとも一つの干渉制御信号の電力レベルに基づいて、データをブロードキャストすることを開始するか否かを決定するように構成された請求項１１に記載のピアツーピア通信デバイス。
【請求項１３】
前記ピアツーピア通信デバイスがブロードキャストを開始する場合における他のピアツーピア通信デバイスに対する干渉を判定するように構成された干渉判定モジュールを更に含み、
前記ブロードキャスト決定モジュールは、該ブロードキャストが開始するならば、前記第１のプライオリティー・レベルより高いプライオリティーを持つ前記干渉制御信号を送信した前記ピアツーピア通信デバイスに、閾値レベル以上の干渉レベルがもたらされるであろうことを前記干渉判定モジュールが判定する場合に、ブロードキャストしないことに決定するように構成された請求項１２に記載のピアツーピア通信デバイス。
【請求項１４】
前記データをブロードキャストすることを開始するか否かの決定が、データをブロードキャストする決定である場合に、前記送信されたブロードキャスト・インジケータ・シグナルに対応するトラフィック・スロットにおいてデータをブロードキャストするように前記無線送信機を制御するように構成されたブロードキャスト・トラフィック・シグナリング制御モジュールを更に含む請求項１２に記載のピアツーピア通信デバイス。
【請求項１５】
前記ピアツーピア通信デバイスにより送信されるべきブロードキャスト・インジケータ・シグナルに関連するプライオリティー・レベルを判定するように構成されたブロードキャスト・インジケータ・シグナル・プライオリティー・レベル判定モジュールを更に備え、
前記ブロードキャスト・インジケータ・シグナル・プライオリティー・レベル判定モジュールは、時間依存性の関数に基づいて、前記プライオリティー・レベルを判定する請求項１４のピアツーピア通信デバイス。
【請求項１６】
前記ブロードキャスト・インジケータ・シグナル・プライオリティー・レベル判定モジュールは、前記ブロードキャスト・インジケータ・シグナルを送信するつもりである前記ピアツーピア通信デバイスに対応する識別子に基づいて、前記プライオリティー・レベルを判定するように構成された請求項１５に記載のピアツーピア通信デバイス。
【請求項１７】
前記ブロードキャスト・インジケータ・シグナルは、ＯＦＤＭシンボルのシングルトーンの上で送信される請求項１１に記載のピアツーピア通信デバイス。
【請求項１８】
無線ピアツーピア無線通信ネットワークにおけるピアツーピア通信デバイスにおいて、
データをブロードキャストする意図を示すブロードキャスト・インジケータ・シグナルを生成するためのブロードキャスト・インジケータ・シグナル生成手段と、
ブロードキャスト・データを受信する１又は複数の他のピアツーピア通信デバイスに向けて、前記生成されたブロードキャスト・インジケータ・シグナルをブロードキャストするように無線送信機手段を制御するためのブロードキャスト・インジケータ・シグナル制御手段と、
前記ブロードキャスト・インジケータ・シグナルの送信の後に続く１又は複数の干渉制御信号を監視するためのレスポンス監視手段と、ここで、前記１又は複数の干渉制御信号のそれぞれは、前記１又は複数の他のピアツーピア通信デバイスのうちの一つが、複数のブロードキャスト・インジケータ・シグナルを受信した場合に、前記１又は複数の他のピアツーピア通信デバイスのうちの前記一つにより送信される、
前記監視の結果に基づいて、データをブロードキャストすることを開始するか否かを決定するためのブロードキャスト決定手段とを含むピアツーピア通信デバイス。
【請求項１９】
前記ブロードキャスト・インジケータ・シグナルは、第１のプライオリティー・レベルを持ち、
前記監視することにより検出された個々の干渉制御信号は、それぞれ、プライオリティー・レベルを持ち、
前記ピアツーピア通信デバイスは、
前記第１のプライオリティー・レベルより高いプライオリティーを持つ干渉制御信号が受信されたかどうか判定するためのプライオリティー比較手段を更に含み、
前記ブロードキャスト決定手段は、前記プライオリティー比較モジュールの決定の関数として、データをブロードキャストすることを開始するか否か判定する請求項１８に記載のピアツーピア通信デバイス。
【請求項２０】
受信された干渉制御信号の電力レベルを測定するための電力測定手段を更に含み、
前記ブロードキャスト決定手段は、前記レスポンス監視手段により前記第１のプライオリティー・レベルより高いプライオリティーを持つ干渉制御信号が検出された場合に、前記第１のプライオリティー・レベルより高いプライオリティーを持つ受信された少なくとも一つの干渉制御信号の電力レベルに基づいて、データをブロードキャストすることを開始するか否かを決定する請求項１９に記載のピアツーピア通信デバイス。
【請求項２１】
前記ピアツーピア通信デバイスがブロードキャストを開始する場合における、他のピアツーピア通信デバイスに対する干渉を判定するための干渉判定手段を更に含み、
前記ブロードキャスト決定手段は、該ブロードキャストが開始するならば、前記第１のプライオリティー・レベルより高いプライオリティーを持つ前記干渉制御信号を送信した前記ピアツーピア通信デバイスに、閾値レベル以上の干渉レベルがもたらされるであろうことを前記干渉判定手段が判定する場合に、ブロードキャストしないことに決定する請求項２０に記載のピアツーピア通信デバイス。
【請求項２２】
前記データをブロードキャストすることを開始するか否かの決定が、データをブロードキャストする決定である場合に、前記送信されたブロードキャスト・インジケータ・シグナルに対応するトラフィック・スロットにおいてデータをブロードキャストするように前記ピアツーピア通信デバイスを制御するブロードキャスト制御手段を更に含む請求項２０に記載のピアツーピア通信デバイス。
【請求項２３】
無線ピアツーピア無線通信ネットワークにおけるピアツーピア通信通信デバイスに用いられるコンピュータプログラムを記憶したコンピュータ読み取り可能な記憶媒体において、前記コンピュータプログラムは、
コンピュータに、ブロードキャスト・データを受信する１又は複数の他のピアツーピア通信デバイスに向けて、データをブロードキャストする意図を示すブロードキャスト・インジケータ・シグナルをブロードキャストすることを制御させるためのコードと、
コンピュータに、前記ブロードキャスト・インジケータ・シグナルの送信の後に続く１又は複数の干渉制御信号を監視させるためのコードと、ここで、前記１又は複数の干渉制御信号のそれぞれは、前記１又は複数の他のピアツーピア通信デバイスのうちの一つが、複数のブロードキャスト・インジケータ・シグナルを受信した場合に、前記１又は複数の他のピアツーピア通信デバイスのうちの前記一つにより送信される、
コンピュータに、前記監視の結果に基づいて、データをブロードキャストすることを開始するか否かを決定させるためのコードとを含むコンピュータ読み取り可能な媒体を含むコンピュータ読み取り可能な記憶媒体。
【請求項２４】
無線ピアツーピア無線通信ネットワークにおけるブロードキャスト・データを受信するための第１のピアツーピア通信デバイスを操作する方法において、
第２のピアツーピア通信デバイスによりブロードキャストされた、該第２のピアツーピア通信デバイスによりデータをブロードキャストする意図を示す該第２のピアツーピア通信デバイスに対応する第１のプライオリティーを持つ第１のブロードキャスト・インジケータ・シグナルを受信することと、
第３のピアツーピア通信デバイスによりブロードキャストされた、該第３のピアツーピア通信デバイスによりデータをブロードキャストする意図を示す該第３のピアツーピア通信デバイスに対応する第２のプライオリティーを持つ第２のブロードキャスト・インジケータ・シグナルを受信することと、
前記第１及び第２のブロードキャスト・インジケータ・シグナルの相対的なプライオリティーの関数として、干渉制御信号を送信するか否かに関する決定をすることを含む方法。
【請求項２５】
干渉制御信号を送信するか否かに関する決定をすることは、
前記第２及び第３のピアツーピア通信デバイスのうちでより低いプライオリティーの一つが、前記第２及び第３のピアツーピア通信デバイスのうちでより高いプライオリティーの一つに対して容認できないレベルの干渉をもたらすか否か判定することと、
前記干渉のレベルが容認できないことが判定された場合に、干渉制御信号を送信することを含む請求項２４に記載の方法。
【請求項２６】
前記干渉制御信号は、前記第２及び第３のピアツーピア通信デバイスのうちでより高いプライオリティーの一つのプライオリティー・レベルに対応するプライオリティー・レベルで送信される請求項２５に記載の方法。
【請求項２７】
前記干渉制御信号を送信することは、前記第２及び第３のピアツーピア通信デバイスのうちでより高いプライオリティーの一つのプライオリティー・レベルを持つ複数の干渉信号送信資源から、干渉信号資源を選択することを含む請求項２６に記載の方法。
【請求項２８】
前記複数の干渉信号送信資源は、個々のＯＦＤＭトーンシンボルである請求項２６に記載の方法。
【請求項２９】
前記第１及び第２のピアツーピア通信デバイスのプライオリティーは、時間とともに変化するものである請求項２６に記載の方法。
【請求項３０】
無線ピアツーピア無線通信ネットワークにおけるブロードキャスト・データを受信するためのピアツーピア通信デバイスにおいて、
信号を受信するように構成された無線受信機モジュールと、
（ｉ）前記受信した信号において、第２のピアツーピア通信デバイスによりブロードキャストされた第１のブロードキャスト・インジケータ・シグナル（該第１のブロードキャスト・インジケータ・シグナルは、該第２のピアツーピア通信デバイスに対応する第１のプライオリティーを持ち、該第１のブロードキャスト・インジケータ・シグナルは、該第２のピアツーピア通信デバイスによりデータをブロードキャストする意図を示す）を検出し、（ｉｉ）前記受信した信号において、第３のピアツーピア通信デバイスによりブロードキャストされた第２のブロードキャスト・インジケータ・シグナル（該第２のブロードキャスト・インジケータ・シグナルは、該第３のピアツーピア通信デバイスに対応する第２のプライオリティーを持ち、該第２のブロードキャスト・インジケータ・シグナルは、該第３のピアツーピア通信デバイスによりデータをブロードキャストする意図を示す）を検出するように構成されたブロードキャスト・インジケータ・シグナル監視モジュールと、
前記第１及び第２のブロードキャスト・インジケータ・シグナルの相対的なプライオリティーの関数として、干渉制御信号を送信するか否かに関する決定をするように構成された干渉制御シグナリング決定モジュールとを含むピアツーピア通信デバイス。
【請求項３１】
前記干渉制御シグナリング決定モジュールは、
前記第２及び第３のピアツーピア通信デバイスのうちでより低いプライオリティーの一つが、前記第２及び第３のピアツーピア通信デバイスのうちでより高いプライオリティーの一つに対して容認できないレベルの干渉をもたらすか否か判定するように構成された干渉トレランス判定サブモジュールと、
干渉制御信号を生成するように構成された干渉制御信号生成モジュールと、
前記干渉制御シグナリング決定モジュールが干渉制御信号を送信することに決定する場合に、前記生成された干渉制御信号を送信するように無線送信機モジュールを制御するように構成された干渉制御信号制御モジュールとを含む請求項３０に記載のピアツーピア通信デバイス。
【請求項３２】
前記干渉制御シグナリング決定モジュールは、前記干渉のレベルが容認できないと前記干渉トレランス判定サブモジュールが判定する場合に、干渉制御信号を送信することに決定する請求項３１に記載のピアツーピア通信デバイス。
【請求項３３】
前記干渉制御信号制御モジュールは、前記第２及び第３のピアツーピア通信デバイスのうちでより高いプライオリティーの一つのプライオリティー・レベルに対応するプライオリティー・レベルで、前記生成された干渉制御信号を送信するように無線送信機モジュールを制御するように構成された請求項３１に記載のピアツーピア通信デバイス。
【請求項３４】
前記干渉制御信号制御モジュールは、前記第２及び第３のピアツーピア通信デバイスのうちでより高いプライオリティーの一つのプライオリティー・レベルを持つ複数の干渉信号送信資源から、干渉信号資源を選択するように構成されたレスポンス資源選択モジュールを更に含む請求項３３に記載のピアツーピア通信デバイス。
【請求項３５】
前記複数の干渉信号送信資源は、個々のＯＦＤＭトーンシンボルである請求項３３に記載のピアツーピア通信デバイス。
【請求項３６】
前記第１及び第２のピアツーピア通信デバイスのプライオリティーは、時間とともに変化するものであり、
前記ピアツーピア通信デバイスは、デバイス識別子を、繰り返されるタイミング構造における複数のスロットの各々に関するプライオリティー・レベルに関連付けるために用いられる格納情報を更に含む請求項３３に記載のピアツーピア通信デバイス。
【請求項３７】
無線ピアツーピア無線通信ネットワークにおけるブロードキャスト・データを受信するためのピアツーピア通信デバイスにおいて、
信号を受信するための無線受信機手段と、
（ｉ）前記受信した信号において、第２のピアツーピア通信デバイスによりブロードキャストされた第１のブロードキャスト・インジケータ・シグナル（該第１のブロードキャスト・インジケータ・シグナルは、該第２のピアツーピア通信デバイスに対応する第１のプライオリティーを持ち、該第１のブロードキャスト・インジケータ・シグナルは、該第２のピアツーピア通信デバイスによりデータをブロードキャストする意図を示す）を検出し、（ｉｉ）前記受信した信号において、第３のピアツーピア通信デバイスによりブロードキャストされた第２のブロードキャスト・インジケータ・シグナル（該第２のブロードキャスト・インジケータ・シグナルは、該第３のピアツーピア通信デバイスに対応する第２のプライオリティーを持ち、該第２のブロードキャスト・インジケータ・シグナルは、該第３のピアツーピア通信デバイスによりデータをブロードキャストする意図を示す）を検出するためのブロードキャスト・シグナル監視手段と、
前記第１及び第２のブロードキャスト・インジケータ・シグナルの相対的なプライオリティーの関数として、干渉制御信号を送信するか否かに関する決定をするための干渉制御シグナリング決定手段とを含むピアツーピア通信デバイス。
【請求項３８】
前記干渉制御シグナリング決定手段は、
前記第２及び第３のピアツーピア通信デバイスのうちでより低いプライオリティーの一つが、前記第２及び第３のピアツーピア通信デバイスのうちでより高いプライオリティーの一つに対して容認できないレベルの干渉をもたらすか否か判定するための干渉トレランス判定手段と、
干渉制御信号を生成するための干渉制御信号生成手段と、
前記干渉制御シグナリング決定手段が干渉制御信号を送信することに決定する場合に、前記生成された干渉制御信号を送信するように無線送信機モジュールを制御するための干渉制御信号制御手段とを含む請求項３７に記載のピアツーピア通信デバイス。
【請求項３９】
前記干渉制御シグナリング決定手段は、前記干渉のレベルが容認できないと前記干渉トレランス判定手段が判定する場合に、干渉制御信号を送信することに決定する請求項３８に記載のピアツーピア通信デバイス。
【請求項４０】
無線ピアツーピア無線通信ネットワークにおけるブロードキャスト・データを受信するためのピアツーピア通信デバイスに用いられるコンピュータプログラムを記憶したコンピュータ読み取り可能な記憶媒体において、前記コンピュータプログラムは、
コンピュータに、第２のピアツーピア通信デバイスによりブロードキャストされた、該第２のピアツーピア通信デバイスによりデータをブロードキャストする意図を示す該第２のピアツーピア通信デバイスに対応する第１のプライオリティーを持つ第１のブロードキャスト・インジケータ・シグナルを受信させるためのコードと、
コンピュータに、第３のピアツーピア通信デバイスによりブロードキャストされた、該第３のピアツーピア通信デバイスによりデータをブロードキャストする意図を示す該第３のピアツーピア通信デバイスに対応する第２のプライオリティーを持つ第２のブロードキャスト・インジケータ・シグナルを受信させるためのコードと、
コンピュータに、前記第１及び第２のブロードキャスト・インジケータ・シグナルの相対的なプライオリティーの関数として、干渉制御信号を送信するか否かに関する決定をさせるためのコードとを含むコンピュータ読み取り可能な媒体を含むコンピュータ読み取り可能な記憶媒体。
【請求項４１】
前記１又は複数の他のピアツーピア通信デバイスのうちの少なくとも一つは、無線端末である、請求項１の方法。
【請求項４２】
前記ブロードキャスト・インジケータ・シグナルをブロードキャストするのに先立って、前記ピアツーピア通信デバイスに対応する送信プライオリティー・レベルを判定することを更に含み、
ブロードキャスト・インジケータ・シグナルをブロードキャストすることは、判定された前記プライオリティー・レベルを持つブロードキャスト・インジケータ・シグナルを送信することを含む、請求項１の方法。
【請求項４３】
前記ブロードキャスト・インジケータ・シグナルのプライオリティー・レベルは、複数のＯＦＤＭトーンシンボルのうちのいずれの一つが前記ブロードキャスト・インジケータ・シグナルを送信するために使用されるかによって、示される、請求項１の方法。
【請求項４４】
前記ブロードキャスト・インジケータ・シグナルは、ＯＦＤＭシンボルのシングルトーンであり、
時間及び周波数資源のセットにおけるシングルトーンの位置が、前記ブロードキャスト・インジケータ・シグナルのプライオリティーを示す、請求項１の方法。
【請求項４５】
前記１又は複数の他のピアツーピア通信デバイスのうちの少なくとも一部は、ピアツーピア通信をサポートするモバイル無線端末である、請求項１の方法。
【請求項４６】
前記ピアツーピア通信デバイス及び前記他のピアツーピア通信デバイスは、アドホックなネットワークの一部である、請求項１の方法。
【請求項４７】
送信が、前記アドホックなネットワークにおいて分散的な方法でスケジューリングされ、
データをブロードキャストすることを開始するか否かを決定することは、集中型の制御デバイスからの入力なしに、なされる、請求項４６の方法。
【発明の詳細な説明】
【技術分野】
【０００１】
（関連出願）
本出願は、2007年7月10日付け提出され、本願の譲受人に譲渡された「METHODS AND APPARATUS FOR SENDING BROADCAST/MULTICAST MESSAGES IN A PEER-TO-PEER NETWORK」と題される米国仮出願第60/948,968号の利益を主張する。そして、その全体が参照によって本明細書に明確に組み込まれる。
【０００２】
（技術分野）
様々な実施態様は、無線通信に関係し、より詳しくは、ピアツーピア・ネットワークにおいてブロードキャスト通信をサポートすることに関係する方法及び装置に関係する。
【背景技術】
【０００３】
無線通信システムにおいて、一般的に、結合された制御シグナリング及びトラフィック・シグナリングについて、無線通信デバイスによる利用のために使用可能である一定量のエアーリンク資源が存在する。集中制御が欠如している無線通信システム（例えば、アドホックなピアツーピア・ネットワーク）において、トラフィック・エアーリンク資源をスケジュールすることは、難しい課題である。
【０００４】
ピアツーピア・ネットワークにおける第１のデバイスは、データを該ネットワーク中の複数の他のデバイス（例えば、制限のない一セットのデバイス）へブロードキャストすることを望む場合があり、そして、それは偶然その時にその局所的な周辺で起こるかもしれない。同様に、ピアツーピア・ネットワークにおける第２のデバイスはまた、データを該ネットワーク中の複数の他のデバイスへブロードキャストすることを望む場合があり、そして、それは偶然その時にその局所的な周辺で起こるかもしれない。ブロードキャスト・シグナリングのアプローチを用いることは、同一のユニキャスト・データ信号を複数のピアツーピア・コネクションの上で複数のデバイスへスケジューリングし送信しなければならないことに比べて、ときおり、効率的であることがある。しかし、ピアツーピア・ネットワークにおいて、同一のエアーリンク資源を使用して、第１及び第２のデバイスの両方が同時にブロードキャストする場合には、デバイスの位置、送信電力レベル、チャネル状態、受信機の能力などに応じて、可能な受信機デバイスによるブロードキャスト信号情報の回復が、受け入れられない可能性がある。上記の検討に基づいて、ピアツーピア・ネットワークにおいてブロードキャスト・データ・シグナリングをサポートし、干渉管理を提供する方法及び装置の必要性が存在する。
【発明の概要】
【０００５】
ピアツーピア無線通信ネットワークにおけるデータのブロードキャスト及び／又は干渉管理に関係する方法及び装置が説明される。様々な実施形態において、トラフィック・エアーリンク資源のスケジューリングは、分散される方法でスロットごとを基準として実行される。ブロードキャスト・トラフィック信号を送信するつもりである無線デバイスは、ブロードキャスト・リクエスト信号（時々、代わりに、ブロードキャスト・インジケータ・シグナルと呼ばれる）を送信する。プライオリティー・レベルは、ブロードキャスト・リクエスト信号の各々と関連している。ブロードキャスト信号を受信するつもりである受信機デバイスは、該ブロードキャスト・リクエスト信号を検出し、そして、より低いプライオリティーのブロードキャスト・トラフィック信号が存在する下で、より高いプライオリティーのブロードキャスト・トラフィック信号が正常に（successfully）回復されることが可能であるかどうかに関して干渉判定をする。該判定が、該より低いプライオリティーのブロードキャスト・トラフィックからの予期される干渉が容認できないことであるならば、該受信機デバイスは、干渉制御信号を生成して送信する。干渉制御信号（ブロードキャストすることを意図するより低いプライオリティーのデバイスにより受信されると予期される）は、より低いプライオリティーのデバイスへ、受信機デバイスがより低いプライオリティーのデバイスへブロードキャストしないように命令又は要求することを、通信する。
【０００６】
幾つかの実施態様に従った、例示的なブロードキャスト送信方法は、データをブロードキャストする意図を示すブロードキャスト・インジケータ・シグナルを送信することと、前記ブロードキャスト・インジケータ・シグナルの送信の後に続く干渉制御信号を監視することと、前記監視の結果に基づいて、データをブロードキャストすることを開始するか否かを決定することを含む。幾つかの実施態様に従った、例示的な無線端末は、データをブロードキャストする意図を示すブロードキャスト・インジケータ・シグナルを生成するように構成されたブロードキャスト・インジケータ・シグナル生成モジュールと、前記生成されたブロードキャスト・インジケータ・シグナルをブロードキャストするように無線送信機モジュールを制御するように構成されたブロードキャスト・インジケータ・シグナル制御モジュールと、前記ブロードキャスト・インジケータ・シグナルの送信の後に続く干渉制御信号を監視するように構成されたレスポンス監視モジュールと、前記監視の結果に基づいて、データをブロードキャストすることを開始するか否かを決定するように構成されたブロードキャスト決定モジュールとを含む。
【０００７】
幾つかの実施態様に従った、第１のデバイスをオペレートする例示的な方法は、第２のデバイスから、該第２のデバイスに対応する第１のプライオリティーを持つ第１のブロードキャスト・インジケータ・シグナル（該第１のブロードキャスト・インジケータ・シグナルは、該第２のデバイスによりデータをブロードキャストする意図を示す）を受信することと、第３のデバイスから、該第３のデバイスに対応する第２のプライオリティーを持つ第２のブロードキャスト・インジケータ・シグナル（該第２のブロードキャスト・インジケータ・シグナルは、該第３のデバイスによりデータをブロードキャストする意図を示す）を受信することと、前記第１及び第２のブロードキャスト・インジケータ・シグナルの相対的なプライオリティーの関数として、干渉制御信号を送信するか否かに関する決定をすることを含む。幾つかの実施態様に従った、例示的な無線通信デバイスは、信号を受信するように構成された無線受信機モジュールと、（ｉ）前記受信した信号において、第２のデバイスからの第１のブロードキャスト・インジケータ・シグナル（該第１のブロードキャスト・インジケータ・シグナルは、該第２のデバイスに対応する第１のプライオリティーを持ち、該第１のブロードキャスト・インジケータ・シグナルは、該第２のデバイスによりデータをブロードキャストする意図を示す）を検出し、（ｉｉ）前記受信した信号において、第３のデバイスからの第２のブロードキャスト・インジケータ・シグナル（該第２のブロードキャスト・インジケータ・シグナルは、該第３のデバイスに対応する第２のプライオリティーを持ち、該第２のブロードキャスト・インジケータ・シグナルは、該第３のデバイスによりデータをブロードキャストする意図を示す）を検出するように構成されたブロードキャスト・シグナル監視モジュールとを含む。例示的な無線通信デバイスは、前記第１及び第２のブロードキャスト・インジケータ・シグナルの相対的なプライオリティーの関数として、干渉制御信号を送信するか否かに関する決定をするための干渉制御シグナリング決定モジュールを更に含む。
【０００８】
様々な実施態様が上記概要で述べられたが、必ずしもすべての実施態様が同一の特徴を含むというわけではなく、また、上述された特徴の幾つかは必ずしも必要ではなく、幾つかの実施態様において望ましい場合があることは、認識されるべきである。様々な実施態様の多数の更なる特徴、実施態様及び利点は、後に続く詳細な説明で述べられる。
【図面の簡単な説明】
【０００９】
【図１】図１は、例示的な一実施態様に従った、例示的なピアツーピア・ネットワーク（例えば、ブロードキャスト・トラフィック・シグナリングをサポートするアドホックな通信ネットワーク）の図である。
【図２】図２は、例示的な一実施態様に従った、第１のデバイス（例えば、ブロードキャスト・シグナリング及びユニキャスト・シグナリングをサポートする無線通信デバイス）を操作する例示的な方法のフローチャートである。
【図３】図３は、例示的な一実施態様に従った、例示的な無線端末（例えば、ブロードキャスト・データ・シグナリングをサポートするピアツーピア・モバイルノード）の図である。
【図４】図４は、例示的な一実施態様に従った、通信デバイスを操作する例示的な方法のフローチャートである。
【図５】図５は、例示的な一実施態様に従った、例示的な無線端末（例えば、ブロードキャスト・データ・シグナリングをサポートするピアツーピア・モバイルノード）の図である。
【図６】図６は、第１のデバイス（例えば、ブロードキャスト・シグナリングのための干渉制御を実装する無線通信デバイス）を操作する例示的な方法のフローチャートである。
【図７】図7は、例示的な一実施態様に従った、例示的な無線端末（例えば、ブロードキャスト・データ・シグナリングのための干渉管理をサポートするピアツーピア・モバイルノード）の図である。
【図８】図８は、幾つかの実施態様において使用されるブロードキャスト及びピアツーピア・ユニキャスト・トラフィック・シグナリングを容易にする例示的な繰り返されるタイミング構造を示す図である。
【図９】図９は、例示的な一実施態様に従って、図８の例示的なブロードキャスト送信リクエスト・エアーリンク資源及び図８の例示的なブロードキャスト受信機レスポンス・エアーリンク資源を更に詳細に示す。
【図１０】図１０は、例示的な一実施態様に従って、ブロードキャスト・シグナリングの干渉管理を示すピアツーピア・ネットワークの領域における例示的なシグナリングを示す図を含む。
【図１１】図１１は、例示的な一実施態様に従って、ブロードキャスト・シグナリングの干渉管理を示すピアツーピア・ネットワークの領域における例示的なシグナリングを示す図を含む。
【詳細な説明】
【００１０】
図１は、例示的な一実施態様に従った、例示的なピアツーピア・ネットワーク１００（例えば、アドホックな通信ネットワーク）の図である。例示的なネットワークは、ピアツーピア・デバイスによるブロードキャスト・トラフィック・シグナリングをサポートする。例示的なネットワークは、ピアツーピア・デバイスによるブロードキャスト・トラフィック・シグナリングをサポートする。ブロードキャストは、少なくとも幾つかの実施態様において、マルチキャスティングを含み、ブロードキャストを受信し得るデバイスの数についてオープンであることができる。ブロードキャストは、時々グループキャストと呼ばれているものとは、グループキャストでは伝送はユーザの閉じたグループ（例えばたいてい受けて（listener）の数が知られている）に対する点で、異なっている。ブロードキャストの場合、ブロードキャスト・デバイスは、ブロードキャストの受けての数を知っていることもあるが、通常はそれを知らない。
【００１１】
例示的なピアツーピア・ネットワーク１００は、ピアツーピア・トラフィック・シグナリング及びブロードキャスト・トラフィック・シグナリングをサポートする複数の無線デバイス（ピアツーピア・ブロードキャストが可能な通信デバイス１ １０２、ピアツーピア・ブロードキャストが可能な通信デバイス２ １０４、ピアツーピア・ブロードキャストが可能な通信デバイス３ １０６、ピアツーピア・ブロードキャストが可能な通信デバイス４ １０８、…、ピアツーピア・ブロードキャストが可能な通信デバイスＮ １１０）を含む。幾つかの実施形態においては、ネットワーク１００は、基準信号送信機１１６（例えば、ビーコン送信機）を含む。幾つかの実施態様において、ネットワーク中の基準信号送信機又は他のデバイスは、例えばブロードキャスト／ユニキャスト・トラフィック・スロットに指定されるスロットとユニキャスト・スロットに指定されるスロットとの間の混合（mixture）を識別する情報のようなネットワーク構成制御情報を通信する。
【００１２】
通信ネットワーク１００中の無線デバイス（１０２，１０４，１０６，１０８，．．．，１１０）は、相互にコネクション（例えば、ピアツーピア・コネクション）を確立することができ、また、ユニキャスト・ピアツーピア・トラフィック信号を送信することができ、また、ブロードキャスト・トラフィック信号を送信することができる。ネットワーク１００において使用される繰り返されるタイミング構造（recurring timing structure）が存在する。幾つかの実施形態においては、基準信号（例えば、基準信号送信機１１６からのＯＦＤＭビーコン信号）は、該タイミング構造に対して同期するために、無線デバイスにより使用される。あるいは、該タイミング構造と同期するために使用される信号が、他のデバイス（例えば、ＧＰＳ送信機、基地局又は他のピアツーピアのデバイス）から供給されても良い。本ネットワークにおいて使用される上記タイミング構造は、複数の個別のトラフィック・スロットを含む。
【００１３】
図２は、第１のデバイス（例えば、ブロードキャスト・シグナリング及びユニキャスト・シグナリングをサポートする無線通信デバイス）を操作する例示的な方法のフローチャート２００である。ステップ２０２において、オペレーションが開始する。ここでは、第１のデバイスが電源投入され、そして、初期化される。オペレーションは、開始ステップ２０２からステップ２０４及びステップ２１０へ進む。
【００１４】
ステップ２０４（それは継続的に実行される。）において、第１のデバイスは、送信されるべきデータを監視する。ステップ２０４は、サブステップ２０６を含んでも良く、そして時々それを含む。そこでは、第１のデバイスは、例えばユーザ入出力装置から送信されるべきデータを受信する。送信されるべき受信データについて、オペレーションは、ステップ２０４からステップ２０７及びステップ２０８へ進む。ステップ２０７において、第１のデバイスは、受信データをキューに格納する。ステップ２０８において、第１のデバイスは、ブロードキャスト・データ又はユニキャスト・データとして送信されるべき受信データを指定する。
【００１５】
ステップ２１０に戻って、ステップ２１０において、第１のデバイスは、現在、送信されるために待機している、キューに入れられたデータが存在するかどうか判定する。ステップ２１０の判定が、送信されるために待機している、キューに入れられたデータが存在することであれば、オペレーションは、ステップ２１０からステップ２１２へ進み、そうでなければ、オペレーションは、送信されるために待機している、キューに入れられたデータが存在するかどうかに関する後の時点での更なるテストのために、ステップ２１０の出力からステップ２１０の入力へ進む。
【００１６】
ステップ２１２に戻って、ステップ２１２において、第１のデバイスは、ブロードキャスト・データが送信されるべきか又はユニキャスト・データが送信されるべきか判定する。ステップ２１２は、サブステップ２１４及び２１６を含む。ときおり、ブロードキャスト・データが送信されるべきと第１のデバイスが判定するサブステップ２１４が実行される。そのような状況においては、オペレーションは、サブステップ２１４からステップ２１８へ進む。ときおり、ユニキャスト・データが送信されるべきと第１のデバイスが判定するサブステップ２１６が実行される。そのような状況においては、オペレーションは、サブステップ２１６からステップ２２６へ進む。
【００１７】
ステップ２１８に戻って、ステップ２１８において、第１のデバイスは、ブロードキャスト送信リクエストをサポートする第１のタイプの送信リクエスト・インターバル及びユニキャスト送信リクエストをサポートすることに制限された第２のタイプの送信リクエスト・インターバルを含む繰り返されるタイミング構造において、ブロードキャスト送信リクエスト資源を識別する。幾つかの実施形態においては、第１のタイプの送信リクエスト・インターバルは、ブロードキャスト及びユニキャスト送信リクエストの両方をサポートする。幾つかの実施形態においては、第２のタイプ・リクエスト・インターバルの数は、第１のタイプ・リクエスト・インターバルの数を超える。
【００１８】
様々な実施態様において、繰り返されるタイミング構造は、ユニキャスト送信に専用のスロット及びブロードキャスト送信をサポートするスロットを含む。幾つかのそのような実施形態において、ブロードキャスト送信をサポートするスロットの少なくとも一部は、ユニキャスト送信をもサポートする。幾つかのそのような実施形態において、ユニキャスト及びブロードキャスト送信の両方をサポートするスロットに対応するブロードキャスト送信リクエスト資源は、そのスロットに対応するユニキャスト送信リクエスト資源より高いプライオリティーを持つ。
【００１９】
オペレーションは、ステップ２１８からステップ２２０へ進む。ステップ２２０において、第１のデバイスは、上記識別されたブロードキャスト送信リクエスト資源において、送信リクエストを送信する。幾つかの実施形態において、上記識別されたブロードキャスト送信リクエスト資源において送信リクエストを送信することは、ブロードキャスト送信をサポートするスロットにおいて送信することを含む。オペレーションは、ステップ２２０からステップ２２２へ進む。ステップ２２２において、第１のデバイスは、それが、より高いプライオリティー・リクエスト・レスポンス資源において、送信リクエスト・レスポンス（例えば、干渉制御信号）を受信したかどうか判定する。それがより高いプライオリティー・リクエスト・レスポンスを受信しなかったならば、オペレーションは、ステップ２２２からステップ２２４へ進み、ここでは、第１のデバイスは、ブロードキャスト・データを送信する。そうでなければ、オペレーションは、ステップ２２２から接続ノードＡ ２３４へ進む。オペレーションは、ステップ２２４から接続ノードＡ ２３４へ進む。
【００２０】
ステップ２２６に戻って、ステップ２２６において、第１のデバイスは、上記繰り返されるタイミング構造において、ユニキャスト送信リクエスト資源を識別する。オペレーションは、ステップ２２６からステップ２２８へ進み、そこにおいて、第１のデバイスは、送信スロット中に存在する該識別されたユニキャスト・リクエスト資源において、送信リクエストを送信する。幾つかの実施形態においては、上記記識別されたユニキャスト送信リクエスト資源において送信リクエストを送信することは、ユニキャスト送信をサポートする送信スロットにおいてリクエストを送信することを含む。オペレーションは、ステップ２２８からステップ２３０へ進む。ステップ２３０において、第１のデバイスは、それが、ステップ２２８の送信された送信リクエストに応答するリクエスト・レスポンスを受信したかどうか、そして譲歩しない（not to yield）と決定したかどうか判定する。第１のデバイスが、リクエスト・レスポンスを受信し、そして譲歩しないと決定したならば、オペレーションは、ステップ２３０からステップ２３２へ進み、そこで、第１のデバイスは、ユニキャスト・データを送信する。そうでなければ、オペレーションは、ステップ２３０から接続ノードＡ ２３４へ進む。幾つかの実施形態においては、ユニキャスト・データ送信に制限されている繰り返されるタイミング構造のトラフィック・データ送信インターバルは、第２のタイプの対応する送信リクエスト・インターバルに制限される。
【００２１】
オペレーションは、ステップ２３２から接続ノードＡ ２３４へ進む。オペレーションは、接続ノードＡ ２３４からステップ２１０へ進み、そこで、第１のデバイスは、送信されるために待機している、キューに入れられたデータが存在するかどうか確認する。
【００２２】
幾つかの実施形態においては、例示的な方法はまた、ステップ２４１及び２４３を含む。ステップ２４１（幾つかの実施態様において、それは継続的に実行される。）において、第１のデバイスは、システム構成情報信号（system configuration information）を（例えば繰り返されるタイミング構造中の所定の時間において）監視する。ステップ２４１は、サブステップ２４２を含んでも良く、そして時々それを含む。そこでは、第１のデバイスは、構成情報、例えば、繰り返されるタイミング構造中の第１のタイプのスロット及び第２のタイプのスロットの数を示す情報、繰り返されるタイミング構造中の第１のタイプのスロット及び第２のタイプのスロットのパターンを示す情報、繰り返されるタイミング構造中の第１のタイプのスロット及び第２のタイプのスロットの配分（distribution）を示す情報、及び／又は、複数の代替的な繰り返されるタイミング構造のうちの一つを示す情報を受信する。オペレーションは、サブステップ２４２からステップ２４３へ進む。そこにおいて、第１のデバイスは、受信された構成情報に従ってオペレーションを実装及び／又は調節（implements and/or adjusts）する。幾つかの実施形態においては、ネットワーク領域の構成情報は、（例えば現在のネットワークの状態及び／又は要求に応じて）動的に調整されることができ、そして時々そのようにされる。例えば、タイミング構造は、現在の状態及び／又は要求を満たすためにブロードキャスト・トラフィックをサポートするより多い又はより少ないスロットを含むように修正されても良い。幾つかの実施形態においては、構成情報は、固定ロケーションの送信機（例えば、ビーコン送信機）を介して通信される。
【００２３】
図３は、例示的な一実施態様に従って、ブロードキャスト・データ・シグナリングをサポートする例示的な無線端末３００（例えば、ピアツーピア・モバイルノード）の図である。例示的な無線端末３００は、様々なエレメントがデータ及び情報を交換することが可能なバス３１２により互いに接続された、無線受信機モジュール３０２、無線送信機モジュール３０４、プロセッサ３０６、ユーザ入出力装置３０８及びメモリ３１０を含む。幾つかの実施形態においては、無線端末３００はまた、バス３１２に接続されたネットワーク・インターフェース３０７を含む。ネットワーク・インターフェース３０７は、無線端末３００が、（例えば有線又は光ファイバーリンクを介して）バックホール・ネットワークに接続することを可能にする。
【００２４】
メモリ３１０は、ルーチン群３１８及びデータ／情報３２０を含む。プロセッサ３０６（例えば、ＣＰＵ）は、無線端末３００のオペレーションを制御し、方法（例えば図２のフローチャート２００の方法）を実行するために、ルーチン群３１８を実行し、また、メモリ３１０中のデータ／情報３２０を使用する。
【００２５】
無線受信機モジュール３０２（例えば、ＯＦＤＭ及び／又はＣＤＭＡ受信機）は、受信アンテナ３１４に接続される。無線端末３００は、受信アンテナ３１４を介して他の無線デバイスから信号を受信する。受信された信号は、例えば、ピア・ディスカバリー信号、ブロードキャスト・リクエスト・レスポンス・エアーリンク資源の上で通信された干渉制御信号、ユニキャスト送信リクエスト・レスポンス信号、チャネル品質情報信号、及び、ユニキャスト・トラフィック承認信号を含む（unicast traffic acknowledgment signals）。
【００２６】
無線送信機モジュール３０４（例えば、ＯＦＤＭ及び／又はＣＤＭＡ送信機）は、送信アンテナ３１６に接続する。無線端末３００は、送信アンテナ３１６を介して、他の無線端末へ信号を送信する。送信された信号は、例えば、ピア・ディスカバリー信号、ブロードキャスト送信リクエスト信号、ユニキャスト送信リクエスト信号、パイロット信号、ブロードキャスト・トラフィック信号、及び、ユニキャスト・トラフィック信号を含む。幾つかの実施形態においては、同一のアンテナが、受信機及び送信機のために使用される。
【００２７】
ルーチン群３１８は、通信ルーチン３２２及び制御ルーチン群３２４を含む。通信ルーチン３２２は、無線端末３００により用いられる様々な通信プロトコルを実装する。制御ルーチン群３２４は、データ監視モジュール３２６、データ記憶モジュール３２８、伝送タイプ分類モジュール（transmission type classification module）３３０、バックログ判定モジュール３３２、伝送タイプ判定モジュール３３４、ブロードキャスト資源識別モジュール３４０、ブロードキャスト送信リクエスト信号生成モジュール３４２、ブロードキャスト・リクエスト制御モジュール３４４、ユニキャスト資源識別モジュール３４６、ユニキャスト送信リクエスト信号生成モジュール３４８、ユニキャスト・リクエスト制御モジュール３５０、ブロードキャスト・レスポンス・モジュール３５２、ユニキャスト・レスポンス・モジュール３５４、ブロードキャスト・トラフィック・モジュール３５６、及び、ユニキャスト・トラフィック・モジュール３５８を含む。伝送タイプ判定モジュール３３４は、ブロードキャスト判定モジュール３３６及びユニキャスト判定モジュール３３８を含む。幾つかの実施形態においては、制御ルーチン群３２４は、構成モジュール（configuration module）３５９を含む。
【００２８】
データ／情報３２０は、タイミング構造情報３６０、生成された信号３９７、受信された信号３９８、及び、キューに入れられたデータ及び情報（queued data and information）３９９を含む。生成された信号３９７は、例えば、生成されたブロードキャスト・トラフィック送信リクエスト信号、生成されたユニキャスト・トラフィック送信リクエスト信号、ユニキャスト・トラフィック・レートを判定するための生成されたパイロット信号、生成されたブロードキャスト・トラフィック信号、及び、生成されたユニキャスト・ピアツーピア・トラフィック信号を含む。受信された信号３９８は、例えば、受信された干渉制御信号、受信されたピアツーピア・トラフィック送信リクエスト・レスポンス信号、受信されたチャネル情報信号、及び、受信されたユニキャスト・トラフィック承認信号を含む。キューに入れられたデータ及び情報３９９は、ブロードキャスト・トラフィック信号又はユニキャスト・ピアツーピア・トラフィック信号のいずれかを経由して送信されるために待機している格納データを含む。キューに入れられたデータ及び情報３９９はまた、格納データ（例えば、ブロードキャスト又はユニキャスト）の部分（portion）、セット（set）又はブロック（block）を送信するために使用される伝送技術のタイプを分類する情報を含む。
【００２９】
タイミング構造情報３６０は、繰り返されるタイミング構造の情報３６２を含む。繰り返されるタイミング構造の情報３６２は、ピア・ディスカバリー・インターバル情報３６４、ブロードキャスト／ユニキャスト・スロット情報３６６、ユニキャスト・スロット情報３６８、及び、スロット・タイプ・シーケンス情報３７０を含む。ブロードキャスト／ユニキャスト・スロット情報３６６は、ブロードキャスト・プレプリアンブル資源情報（broadcast pre-preamble resource information）３７２、ユニキャスト・プレプリアンブル資源情報３７８、プリアンブル資源情報３８４、データ資源情報３８６、及び、承認資源情報３８８を含む。ブロードキャスト・プレプリアンブル資源情報３７２は、ブロードキャスト・リクエスト資源情報３７４、及び、ブロードキャスト・レスポンス資源情報３７６を含む。ユニキャスト・プレプリアンブル資源情報３７８は、ユニキャスト・リクエスト資源情報３８０、及び、ユニキャスト・リクエスト・レスポンス資源情報３８２を含む。
【００３０】
ユニキャスト・スロット情報３６８は、ユニキャスト・高プライオリティー・プレプリアンブル資源情報３９０、ユニキャスト・低プライオリティー・プレプリアンブル資源情報３９３、プリアンブル資源情報３９３、データ資源情報３９５、及び、承認資源情報３９６を含む。ユニキャスト・高プライオリティー・プレプリアンブル資源情報３９０は、ユニキャスト・リクエスト資源情報３９１及びユニキャスト・リクエスト・レスポンス資源情報３９２を含む。同様に、ユニキャスト・低プライオリティー・プレプリアンブル資源情報３９３は、ユニキャスト・リクエスト資源情報、及び、ユニキャスト・リクエスト・レスポンス資源情報を含む。
【００３１】
データ監視モジュール３２６は、送信されるべきデータ（例えばユーザ入出力装置を介して得られる入力データ）を監視する。データ監視モジュール３２６は、ときおり、他の無線デバイスへ送信されるべきデータを受信する。データ記憶モジュール３２８は、送信されるべき受信データを、例えば送信キューにおいて、キューに入れられたデータ及び情報３９９の一部として、保存する。伝送タイプ分類モジュール３３０は、例えば、キューに入れられた送信されるべきデータのために使用される伝送のタイプ（例えば、ブロードキャスト及びユニキャストのうちの一つ）を分類及び／又は指定（classifies and/or designates）する。格納データの伝送タイプの分類は、送信されるべき受信データとともに、キューに入れられたデータ及び情報３９９に保存される。
【００３２】
バックログ判定モジュール３３２は、現在、送信されるため待機している、キューに入れられたデータがあるかどうか判定する。伝送タイプ判定モジュール３３４は、ブロードキャスト・データが送信されるべきか又はユニキャスト・データが送信されるべきか判定する。ブロードキャスト判定モジュール３３６は、ブロードキャスト・データが送信されるべきかどうか判定する。ユニキャスト判定モジュール３３８は、ユニキャスト・データが送信されるべきかどうか判定する。
【００３３】
ブロードキャスト資源識別モジュール３４０は、ブロードキャスト伝送送信リクエストをサポートする第１のタイプのの送信リクエスト・インターバル及びユニキャスト送信リクエストをサポートすることに限られている第２のタイプの送信リクエスト・インターバルを含む繰り返されるタイミング構造において、ブロードキャスト送信リクエスト資源を識別する。例えば、第１のタイプは、ブロードキャスト／ユニキャスト・スロットのリクエスト資源（例えば情報３７４と情報３８０により識別される資源）を含んでも良く、また、第２のタイプは、ユニキャスト・スロットのリクエスト資源（例えば、情報３９１及び情報３９３のユニキャスト・リクエスト資源情報により識別される資源）を含んでも良い。一つの例として、ブロードキャスト資源識別モジュールは、無線端末３００により現在保持されるブロードキャスト・デバイス識別子に関連するブロードキャスト・リクエスト資源情報３７４内で、送信ユニットを識別する。
【００３４】
ブロードキャスト送信リクエスト信号生成モジュール３４２は、ブロードキャスト・データが送信されるべきことをブロードキャスト判定モジュール３３６が判定した場合に、ブロードキャスト送信リクエストを生成する。ブロードキャスト・リクエスト制御モジュール３４４は、生成されたブロードキャスト送信リクエストを、無線端末３００に関連する識別されたブロードキャスト送信リクエスト資源において送信するように、無線送信機モジュール３０４を制御する。
【００３５】
ユニキャスト資源識別モジュール３５０は、ブロードキャスト送信リクエストをサポートする第１のタイプの送信リクエスト・インターバル及びユニキャスト送信リクエストをサポートすることに限られている第２のタイプの送信リクエスト・インターバルを含む繰り返されるタイミング構造において、ユニキャスト送信リクエスト資源を識別する。例えば、ユニキャスト資源識別モジュール３４６は、端末３００が該ユニキャスト・トラフィック・データを送信することを望むピアツーピア・コネクションに対応する無線端末３００により現在保持されるコネクション識別子に関連する、ユニキャスト・リクエスト資源情報３８０内で、又はユニキャスト・リクエスト資源情報３９１内で、又は情報３９３のユニキャスト・リクエスト資源情報内で、送信ユニットを識別する。
【００３６】
ユニキャスト送信リクエスト信号生成モジュール３４８は、ユニキャスト・データが送信されるべきことをユニキャスト判定モジュール３３８が判定した場合に、ユニキャスト送信リクエストを生成する。ユニキャスト・リクエスト制御モジュール３５０は、ユニキャスト送信サポートする送信スロット中の識別されたユニキャスト送信リクエスト資源において、生成されたユニキャスト送信リクエストを送信するように、無線送信機モジュール３０４を制御する。
【００３７】
ブロードキャスト・レスポンス・モジュール３５２は、ブロードキャスト送信リクエスト資源（例えば情報３７６により識別される資源）の上で通信された、受信された干渉制御信号を、監視、検出及び測定する。ブロードキャスト・レスポンス・モジュール３５２は、無線端末３００が、意図されたブロードキャスト送信を開始（proceed with）すべきか、又は、送信機イールディング（transmitter yielding）を実行して該意図されたブロードキャスト・トラフィック信号を送信しないようにすべきかに関して決定する。幾つかの実施形態においては、ブロードキャスト・レスポンス・モジュール３５２は、それが、閾値を上回るより高いプライオリティーの意図されたブロードキャスト送信に対応する制御干渉信号を検出した場合に、譲歩（yield）することを決定する。
【００３８】
ユニキャスト・レスポンス・モジュール３５４は、ユニキャスト送信リクエスト・レスポンス資源の上で通信された、受信されたユニキャスト送信リクエスト・レスポンスを監視し測定する。ユニキャスト・レスポンス・モジュール３５４は、無線端末３００が、意図されたユニキャスト・トラフィック送信を開始すべきか、又は、送信機イールディングを実行すべきかを決定する。幾つかの実施形態においては、ユニキャスト・レスポンス・モジュールは、それが、その前もって送信されたユニキャスト・リクエスト・レスポンス信号に対応するユニキャスト・リクエスト・レスポンス信号を検出し、且つ、より高いプライオリティーのコネクションに対応するユニキャスト・リクエスト・レスポンス信号を検出しない場合に、意図されたユニキャスト送信を続けることを決定する。ユニキャスト・レスポンス・モジュール３５４が、その前もって送信されたユニキャスト送信リクエストに対応するユニキャスト・リクエスト・レスポンスを検出し、且つ、より高いプライオリティーのコネクションに対応する１又は複数のユニキャスト送信リクエスト・レスポンスを検出した場合に、該モジュール３５４は、それが他のより高いプライオリティーのコネクションにもたらすと予期される干渉の関数として、送信機イールディング決定する。
【００３９】
ブロードキャスト・トラフィック・モジュール３５６は、ブロードキャスト・レスポンス・モジュール３５２が、意図されたブロードキャスト・トラフィック送信を開始することに決定する場合に、ブロードキャスト・トラフィック信号を生成する。ブロードキャスト・トラフィック・モジュール３５６は、ブロードキャスト送信リクエストに対応するデータ資源（例えば、トラフィック・セグメント）において、該生成されたブロードキャスト・トラフィック信号を送信するように、無線送信機モジュール３０４を制御する。例えば、ブロードキャスト・トラフィック信号を運ぶために使用されるトラフィック・セグメントは、情報３７４により識別されるブロードキャスト送信リクエスト資源の中で伝達されるブロードキャスト送信リクエストに対応するデータ資源情報３８６により識別されても良い。この例示的な実施態様において、ブロードキャスト・トラフィック信号は、予め定められたデータレート（例えばブロードキャスト・トラフィック信号が不都合なチャネル状態の下で回復可能（recoverable）であることが予期され得るような低いデータレート）で送信される。
【００４０】
ユニキャスト・トラフィック・モジュール３５８は、ユニキャスト・レスポンス・モジュール３５４が、意図されたユニキャスト・トラフィック送信を開始することに決定した場合に、ユニキャスト・トラフィック信号を生成する。ユニキャスト・トラフィック・モジュール３５８は、無線端末３００が前もって送信したユニキャスト送信リクエストに対応するデータ資源（例えばセグメント）において、該生成されたユニキャスト・トラフィック信号を送信するように、無線送信機モジュール３０４を制御する。例えば、情報３８０により識別される資源を使用してユニキャスト・リクエストが通信されたならば、情報３８６により識別されるデータ資源（例えばトラフィック・セグメント）が、ユニキャスト・トラフィック信号を運ぶために使用される。あるいは、情報３９１により識別される資源を使用してユニキャスト・リクエストが通信されたならば、情報３９５により識別されるデータ資源（例えばトラフィック・セグメント）が、ユニキャスト・トラフィック信号を運ぶために使用される。
【００４１】
ユニキャスト・トラフィック・モジュール３５８はまた、ユニキャスト・データ送信のために使用されるデータレートを制御する。ユニキャスト・トラフィックのために使用されるデータレートは、一つのスロットから他のスロットへと（例えばパイロット信号に応答して通信されたチャネル品質フィードバック情報の関数として）変化しても良く、そして時々そのように変化する。パイロット信号及び対応するチャネル品質フィードバック情報は、プリアンブル資源（例えば、そのスロットに応じて情報３８４又は情報３９４により識別される資源）を使用して通信される。
【００４２】
この例示的な実施態様において、ユニキャスト・トラフィック承認は、受信されたユニキャスト・トラフィック信号に応答して通信される。ユニキャスト・トラフィック・モジュール３５４はまた、それがユニキャスト・トラフィック信号を送信した後に、ユニキャスト・トラフィック承認信号を、（例えば、そのスロットに応じて情報３８８又は情報３９６により識別される承認資源を使用して）監視し検出する。
【００４３】
無線端末３００は、ブロードキャスト及びユニキャスト・シグナリングの両方をサポートする第１のタイプのスロットと、ユニキャスト・シグナリングをサポートするがブロードキャスト・シグナリングをサポートしない第２のタイプのスロットとを含む繰り返されるタイミング構造を利用する。それゆえ、第１のタイプのスロット（例えば、情報３６６により識別されるようなブロードキャスト／ユニキャスト・スロット）は、ブロードキャスト送信リクエスト及びユニキャスト送信リクエストを収容（accommodate）するために、リクエスト・インターバル資源を含む。第２のタイプのスロット（例えば、ユニキャスト・スロット情報３６８により識別されるようなスロット）は、ユニキャスト・トラフィック送信リクエストを収容するリクエスト・インターバル資源を含むが、ブロードキャスト・トラフィック送信リクエストを収容するリクエスト資源は含まない。この実施形態においては、第２のタイプのスロットの数は、繰り返されるタイミング構造において、第１のタイプのスロットの数を上回る。
【００４４】
この例示的な実施態様においては、第１のタイプの送信リクエスト・インターバルは、ブロードキャスト及びユニキャスト送信リクエストの両方をサポートする。情報３７２により識別されるブロードキャスト／ユニキャスト・スロットのための送信リクエスト・インターバルは、幾つかの連続的な（consecutive）送信リクエスト・サブインターバル（それは、隣接していないもの（non-contiguous）（例えばレスポンス・インターバルにより分離されたもの）であっても良い。）を含む。例えば、第１の送信リクエストのサブインターバルは、ブロードキャスト・リクエスト資源情報３７４に対応しても良く、また、第２の送信リクエストのサブインターバルは、ユニキャスト・リクエスト資源情報３８２に対応しても良い。
【００４５】
この例示的な実施態様において、第２のタイプの送信リクエスト・インターバルは、ユニキャスト送信リクエストをサポートすることに限られている。情報３６８により識別されるユニキャスト・スロットに関する送信リクエスト・インターバルは、幾つかの連続的な送信リクエスト・サブインターバル（それは、隣接していないもの（例えばレスポンス・インターバルにより分離されたもの）であっても良い。）を含む。そして、それは、ユニキャスト送信リクエストをサポートするが、ブロードキャスト送信リクエストをサポートしない。
【００４６】
第２のタイプの送信リクエスト・インターバルの数は、繰り返されるタイミング構造において、第１のタイプの送信リクエスト間隔の数を超える。スロット・タイプ・シーケンス情報３７０は、繰り返されるタイミング構造におけるブロードキャスト／ユニキャスト・スロットのシーケンス及び数と、ユニキャスト・スロットのシーケンス及び数とを識別する情報を含む。
【００４７】
この例示的な実施態様において、ユニキャスト・データ送信に限られているデータ送信インターバルは、第２のタイプの対応する送信リクエスト・インターバルに限られている。例えば、データ資源情報３９５により識別されるデータ送信インターバルは、第２のタイプの対応する送信リクエスト・インターバルに限られている。
【００４８】
情報３６２により識別される繰り返されるタイミング構造は、ユニキャスト送信に専用のスロット及びブロードキャスト送信をサポートするスロットを含むことが、観測（observed）されても良い。ブロードキャスト送信をサポートするスロットの少なくとも一部は、同様に、ユニキャスト送信をサポートする（例えば、情報３６６により識別されるスロットは、ブロードキャスト送信及びユニキャスト送信の両方をサポートする）。
【００４９】
この例示的な実施態様において、ユニキャスト及びブロードキャスト送信の両方をサポートするスロットにおけるブロードキャスト送信に対応する送信リクエスト資源は、同一のスロットについてのユニキャスト送信に対応する送信リクエスト資源より高いプライオリティーを持つ。例えば、ブロードキャスト資源情報３７４により識別される資源は、ユニキャスト・リクエスト資源情報３８２により識別される資源より高いプライオリティーを持つ。
【００５０】
構成モジュール３５９は、構成信号を（例えば、ビーコン送信機又は他のデバイス通信システム情報から）検出し、該受信された構成信号により伝達される情報に従って、構成を実装する。一つの実施態様において、構成信号は、周辺で利用されている繰り返されるタイミング・システムにおけるブロードキャスト／ユニキャスト・スロットに指定されるスロットの数及びユニキャスト・スロットに指定されるスロットの数との間の混合（mixture）をセットアップ及び／又は変更するために使用される情報を通信する。
【００５１】
図４は、通信デバイス（例えば、ブロードキャスト・シグナリングをサポートするピアツーピア無線端末）をオペレートする例示的な方法のフローチャート４００である。例示的な方法は、ステップ４０２において開始する。ここでは、通信デバイスが電源投入され、そして、初期化される。オペレーションは、スタート・ステップ４０２からステップ４０４へ進む。ステップ４０４において、通信デバイスは、ブロードキャスト・インジケータ・シグナルに対するプライオリティー・レベルを判定する。幾つかの実施態様において、ステップ４０４は、１又は複数のサブステップ４０６及び４０８を含む。サブステップ４０６において、通信デバイスは、時間依存性の関数に基づいて、上記プライオリティー・レベルを判定する。サブステップ４０８において、通信デバイスは、その通信デバイスに対応する識別子に基づいて、上記プライオリティー・レベルを判定する。オペレーションは、ステップ４０４からステップ４１０へ進む。
【００５２】
ステップ４１０において、通信デバイスは、データをブロードキャストする意図を示すブロードキャスト・インジケータ・シグナルを送信する。幾つかの実施形態においては、ブロードキャスト・インジケータ・シグナルは、ＯＦＤＭシンボルのシングルトーンの上で送信される。オペレーションは、ステップ４１０からステップ４１２へ進む。ステップ４１２において、通信デバイスは、干渉制御信号を監視する。オペレーションは、ステップ４１２からステップ４１４へ進む。ステップ４１４において、通信デバイスは、ステップ４１２の上記監視の結果に基づいて、データのブロードキャストを開始するか否かを決定する。
【００５３】
幾つかの実施形態においては、ブロードキャスト・インジケータ・シグナルは、決められたプライオリティー・レベルで送信され、該監視により検出される個別の干渉制御信号の各々は、プライオリティー・レベルを持ち、そして、ブロードキャストを開始するか否かを決定することは、該送信されたブロードキャスト・インジケータ・シグナルのプライオリティー・レベルより高いプライオリティーを持つ干渉制御信号が受信されたかどうか判定することを含む。幾つかのそのような実施態様において、ブロードキャストを開始するか否かを決定することは、該送信されたブロードキャスト・インジケータ・シグナルのプライオリティーより高いプライオリティーを持つ干渉制御信号が受信された場合に、該送信されたブロードキャスト・インジケータ・シグナルのプライオリティー・レベルより高いプライオリティーを持つ少なくとも一つの受信された干渉制御信号の電力レベルに基づいて、干渉判定をすることを含む。幾つかの実施形態においては、ブロードキャストを開始するか否かを決定することは、ブロードキャストを開始した場合に、該送信されたブロードキャスト・インジケータ・シグナルのプライオリティー・レベルより高いプライオリティーを持つ干渉制御信号を送信したデバイスに対して、閾値を上回る干渉レベルがもたらされるであろうことを、上記干渉判定が判定した場合に、ブロードキャストしないことに決定することを含む。
【００５４】
オペレーションは、ステップ４１４からステップ４１６へ進む。ステップ４１６において、ステップ４１４の決定がブロードキャストを開始することであるならば、オペレーションは、ステップ４１６からステップ４１８へ進み、そこでは、通信デバイスは、該送信されたブロードキャスト・インジケータ・シグナルに対応するトラフィック・スロットにおいて、データを送信する。そうでなければ、オペレーションは、ステップ４１６から接続ノードＡ ４２０へ進む。オペレーションは、ステップ４１８から接続ノードＡ ４２０へ進む。オペレーションは、接続ノードＡ ４２０からステップ４０４へ進む。
【００５５】
通信デバイスが本フローチャートを２回繰り返して実行する例を考える。１回目の繰り返しにおいて、データをブロードキャストする意図を示す第１のブロードキャスト・インジケータ・シグナルは、第１のプライオリティー・レベルで送信されても良く、一方、２回目の繰り返しにおいて、データをブロードキャストする意図を示す第２のブロードキャスト信号は、第１のプライオリティー・レベルとは異なる第２のプライオリティー・レベルで送信されても良い。幾つかの実施形態においては、デバイス識別子に対応するプライオリティーは、繰り返されるタイミング構造において、ホッピング・パターンに従って変えられる。このプライオリティーの変化の特徴は、干渉の問題のために衝突する可能性がある異なるデバイスのためのブロードキャストの機会を促進する。
【００５６】
図５は、例示的な一実施態様に従った、例示的な無線端末５００（例えば、ブロードキャスト・データ・シグナリングをサポートするピアツーピア・モバイルノード５００）の図である。例示的な無線端末５００は、例えば、図１の通信デバイスのうちの一つである。例示的な無線端末５００は、様々なエレメントがデータ及び情報を交換することが可能なバスス５１２により互いに接続された、無線受信機モジュール５０２、無線送信機モジュール５０４、プロセッサ５０６、ユーザ入出力装置５０８及びメモリ５１０を含む。幾つかの実施形態においては、無線端末５００はまた、バス５１２に接続するネットワーク・インターフェース５０７を含む。ネットワーク・インターフェース５０７は、無線端末５００が、（例えば有線又は光ファイバーリンクを介して）バックホール・ネットワークに接続することを可能にする。
【００５７】
メモリ５１０は、ルーチン群５１８とデータ／情報５２０を含む。プロセッサ５０６（例えば、ＣＰＵ）は、無線端末５００のオペレーションを制御し、方法（例えば図４のフローチャート４００の方法）を実行するために、ルーチン群５１８を実行し、また、メモリ５１０中のデータ／情報５２０を使用する。
【００５８】
無線受信機モジュール５０２（例えば、ＯＦＤＭ及び／又はＣＤＭＡ受信機）は、受信アンテナ５１４に接続される。無線端末５００は、受信アンテナ５１４を介して他の無線デバイスから信号を受信する。受信された信号は、制御干渉信号を含む。
【００５９】
無線送信機モジュール５０４（例えば、ＯＦＤＭ及び／又はＣＤＭＡ送信機）は、送信アンテナ５１６に接続する。無線端末５００は、送信アンテナ５１６を介して他の無線端末へ信号を送信する。送信された信号は、ブロードキャスト・インジケータ・シグナル及びブロードキャスト・トラフィック信号を含む。幾つかの実施形態においては、同一のアンテナが、受信機及び送信機のために使用される。
【００６０】
ルーチン群５１８は、通信ルーチン５２２及び制御ルーチン群５２４を含む。通信ルーチン５２２は、無線端末５００により用いられる様々な通信プロトコルを実装する。制御ルーチン群５２４は、ブロードキャスト・インジケータ・シグナル生成モジュール５２６、ブロードキャスト・インジケータ・シグナル制御モジュール５２８、レスポンス監視モジュール５３０、ブロードキャスト決定モジュール（broadcast decision module）５３２、プライオリティー比較モジュール５３４、電力測定モジュール５３６、干渉判定モジュール（interference determination module）５３８、ブロードキャスト制御モジュール５４０、ブロードキャスト・インジケータ・シグナルのプライオリティー・レベル判定モジュール５４２、ブロードキャスト・トラフィック信号生成モジュール５４４、及び、ブロードキャスト・トラフィック・シグナリング制御モジュール５４６を含む。
【００６１】
データ／情報５２０は、繰り返されるタイミング構造の情報５４８、生成されたブロードキャスト・インジケータ・シグナル５４９、現在保持されるブロードキャスト・デバイス識別子を識別する情報（information identifying a currently held broadcast device identifier）５５０、現在時刻情報５５２、決定されたプライオリティー・レベルの情報５５４、検出された干渉制御信号の情報５５６、生成され送信されたブロードキャスト・インジケータ・シグナルのプライオリティーより高いプライオリティーを持つ識別された（１又は複数の）制御干渉信号（identified control interference signal(s) having higher priority than the priority of the generated transmitted broadcast indicator signal）５５８、ブロードキャスト決定５６０、及び、生成されたブロードキャスト・トラフィック信号５６２を含む。検出された干渉制御信号の情報５５６は、１又は複数の検出された干渉制御信号に対応する情報（（検出された制御干渉信号１ ５６４、検出された制御干渉信号１に関する受信電力レベルの情報５６６、検出された干渉制御信号１に関連するプライオリティー・レベルの情報５６８），．．．，（検出された制御干渉信号Ｎ ５７０、検出された制御干渉信号Ｎに関する受信電力レベルの情報５７２、検出された干渉制御信号Ｎに関連するプライオリティー・レベルの情報５７４））を含んでも良く、そして時々それらを含む。
【００６２】
ブロードキャスト・インジケータ・シグナル生成モジュール５２６は、データをブロードキャストする意図を示すブロードキャスト・インジケータ・シグナル（例えば、信号５４９）を生成する。ブロードキャスト・インジケータ・シグナル制御モジュール５２８は、生成されたブロードキャスト・インジケータ・シグナルをブロードキャストするように、無線送信機モジュール５０４を制御する。幾つかの実施形態においては、ブロードキャスト・インジケータ・シグナルは、ＯＦＤＭシンボルのシングルトーンの上で送信される。
【００６３】
レスポンス監視モジュール５３０は、ブロードキャスト・インジケータ・シグナルの送信に続く干渉制御信号を監視する。ブロードキャスト決定モジュール５３２は、上記監視の結果に基づいて、データをブロードキャストすることを開始するか否かを決定する。幾つかの実施形態においては、他の無線端末からの干渉制御信号は、ＯＦＤＭシンボルのシングルトーンの上で通信される。幾つかの実施形態においては、干渉制御信号は、他の無線端末からの、データをブロードキャストさせないためのコマンドである。幾つかの実施形態においては、干渉制御信号は、他の無線端末からの、データをブロードキャストしないことのリクエストである。
【００６４】
幾つかの実施形態においては、ブロードキャスト・インジケータ・シグナルは、決められたプライオリティー・レベルで送信され、該監視により検出される個別の干渉制御信号の各々は、プライオリティー・レベルを持つ。幾つかのそのような実施態様においては、プライオリティー・レベルは、対象となる信号（例えば、ブロードキャスト・インジケータ・シグナル及び／又は干渉制御信号）を運ぶために使用されるエアーリンク資源の該タイミング／周波数構造における位置に関連している。ブロードキャスト・インジケータ・シグナルのプライオリティー・レベル判定モジュール５４２は、無線端末により送信されるべきブロードキャスト・インジケータ・シグナルに関連するプライオリティー・レベルを、時間依存性の関数及び／又は該無線端末に対応する識別子に基づいて、判定する。例えば、無線端末５００は、ブロードキャスト送信リクエスト・エアーリンク資源及びブロードキャスト・リクエスト・レスポンス・エアーリンク資源に関連するデバイス識別子を現在保持しても良い。その上、無線端末５００に知られている、使用中の繰り返されるタイミング構造は、ブロードキャストのために使用される特定のデバイス識別子が、該タイミング構造において一つのスロットから他のスロットへと異なるプライオリティー・レベルを持つようにホッピング・シーケンスを実装しても良い。
【００６５】
プライオリティー比較モジュール５３４は、第１のプライオリティーより高いプライオリティーを持つ干渉制御信号が受信されたかどうか判定する（第１のプライオリティーは、無線端末５００により送信されたブロードキャスト・インジケータ・シグナルに関連するプライオリティー・レベルである）。プライオリティー比較モジュール５３４は、データをブロードキャストすることを開始するか否かを、ブロードキャスト決定モジュール５３２の関数として、決定をする。
【００６６】
電力測定モジュール５３６は、受信された干渉制御信号の電力レベルを測定する。第１のプライオリティー・レベルを持つ干渉制御信号がレスポンス監視モジュール５３０により検出された場合に、ブロードキャスト決定モジュール５３２は、第１のプライオリティー・レベルより高いプライオリティーを持つ少なくも一つの受信された干渉制御信号の電力レベルに基づいて、データをブロードキャストすることを開始するか否かのを決定する。
【００６７】
干渉判定モジュール５３８は、無線端末５００がブロードキャスト・データを開始する場合における、他のデバイスに対する妨害を判定する。ブロードキャストが開始したならば、第１のプライオリティー・レベルより高いプライオリティーを持つ干渉制御信号を送信したデバイスに対して、閾値を上回る干渉レベルがもたらされるであろうことを、干渉判定モジュール５３８が判定した場合に、ブロードキャスト決定モジュール５３２は、データをブロードキャストしないことに決定する。
【００６８】
ブロードキャスト・トラフィック信号生成モジュール５４４は、ブロードキャスト・トラフィック信号（例えば、生成されたブロードキャスト・トラフィック信号５６２）を生成する。幾つかの実施形態においては、ブロードキャスト・トラフィック信号のデータレートは無線端末５００に対して固定されるが、一方、無線端末５００がその代わりに同一のトラフィック・データ・エアーリンク資源（例えば、トラフィック・セグメント）を使用してユニキャスト・ピアツーピア・トラフィック信号を送信する場合には、上記生成されたピアツーピア・ユニキャスト・トラフィック信号のデータレートは、複数の異なる代替的なデータレートの一つであっても良い。幾つかの実施形態においては、ブロードキャスト・トラフィック信号の送信電力レベルは、無線端末５００に対して固定されるが、一方、無線端末５００がその代わりに同一のトラフィック・データ・エアーリンク資源（例えば、トラフィック・セグメント）を使用してユニキャスト・ピアツーピア・トラフィック信号を送信する場合には、上記生成されたピアツーピア・ユニキャスト・トラフィック信号の電力レベルは、複数の異なる代替的な電力レベルの一つであっても良い。
【００６９】
ブロードキャスト・トラフィック・シグナリング制御モジュール５４６は、ブロードキャスト決定モジュール５３２による決定が、データをブロードキャストするという決定である場合に、送信されたブロードキャスト・インジケータ・シグナルに対応するトラフィック・スロットにおいて、データをブロードキャストするように、無線送信機モジュール５０４を制御する。
【００７０】
図６は、第１のデバイス（例えば、ブロードキャスト・シグナリングのための干渉制御をサポートする無線通信デバイス）をオペレートする例示的な方法のフローチャート６００である。ステップ６０２において、その例示的な方法のオペレーションが開始する。ここでは、通信デバイスが電源投入され、そして、初期化される。オペレーションは、ステップ６０２からステップ６０４へ進む。
【００７１】
ステップ６０４において、第１のデバイスは、第２のデバイスから、該第２のデバイスに対応する第１のプライオリティーを持つ第１のブロードキャスト・インジケータ・シグナルを受信する。ここで、該第１のブロードキャスト・インジケータ・シグナルは、該第２のデバイスによりデータをブロードキャストする意図を示すものである。オペレーションは、ステップ６０４からステップ６０６へ進む。そこにおいて、第１のデバイスは、第３のデバイスから、該第３のデバイスに対応する第２のプライオリティーを持つ第２のブロードキャスト・インジケータ・シグナルを受信する。ここで、該第２のブロードキャスト・インジケータ・シグナルは、該第３のデバイスによりデータをブロードキャストする意図を示すものである。幾つかの実施形態においては、ステップ６０４及び６０６は、並列に実行されても良く（例えば、第１及び第２のブロードキャスト・インジケータ・シグナルの両方が、一のＯＦＤＭシンボル送信タイムインターバルの中で第１のデバイスにより受信される。）、そして時々そのように実行される。オペレーションは、ステップ６０６からステップ６０８へ進む。
【００７２】
ステップ６０８において、第１のデバイスは、上記第１のブロードキャスト・インジケータ・シグナルと第２のブロードキャスト・インジケータ・シグナルとの相対的なプライオリティーの関数として、干渉制御信号を送信するか否かを決定する。ステップ６０８は、サブステップ６１０，６１２，６１４及び６１６を含む。サブステップ６１０において、第１のデバイスは、上記第２のデバイスと上記第３のデバイスとのうちのより低いプライオリティーの一つによりデータをブロードキャストすることが、上記第２のデバイスと上記第３のデバイスとのうちのより高いプライオリティーの一つに対する容認できないレベルの干渉をもたらすであろうかどうか判定する。サブステップ６１２において、サブステップ６１０の決定が、上記第２のデバイスと上記第３のデバイスとのうちのより低いプライオリティーの一つによりブロードキャストすることが、容認できないレベルの干渉をもたらすということであるならば、オペレーションは、サブステップ６１２からサブステップ６１４へ進む。そうでなければ、オペレーションは、サブステップ６１２からサブステップ６１６へ進む。
【００７３】
サブステップ６１４に戻って、サブステップ６１４において、第１のデバイスは、干渉制御信号を送信することに決定する。オペレーションは、サブステップ６１４からステップ６１８へ進む。サブステップ６１６に戻って、サブステップ６１６において、第１のデバイスは、干渉制御信号を送信しないことに決定する。オペレーションは、サブステップ６１６から接続ノードＡ ６２４へ進む。。
【００７４】
ステップ６１８に戻って、ステップ６１８において、第１のデバイスは、干渉制御信号を送信する。幾つかの実施形態においては、ステップ６１８は、サブステップ６２０及び６２２を含む。サブステップ６２０において、第１のデバイスは、上記第２のデバイスと上記第３のデバイスとのうちのより高いプライオリティーのプライオリティー・レベルを持つ複数の干渉信号伝送資源から、一つの干渉信号資源を選択する。それから、サブステップ６２２において、第１のデバイスは、上記第２のデバイスと上記第３のデバイスとのうちのより高いプライオリティーのプライオリティー・レベルで、上記干渉制御信号を送信する。オペレーションは、ステップ６１８から接続ノードＡ ６２４へ進む。オペレーションは、接続ノードＡ ６２４からステップ６０４へ進む。
【００７５】
幾つかの実施形態においては、干渉信号送信資源は、個々のＯＦＤＭトーンシンボルである。幾つかの実施形態において、第２及び第３のデバイスのプライオリティーは、時間とともに（例えば、一つのスロットから他のスロットへと）変化する。
【００７６】
図７は、例示的な一実施態様に従った、例示的な無線端末７００（例えば、ブロードキャスト・データ・シグナリングのための干渉管理をサポートするピアツーピア・モバイルノード７００）の図である。例示的な無線端末７００は、例えば、図１の通信デバイスのうちの１つである。例示的な無線端末７００は、様々なエレメントがデータ及び情報を交換することが可能なバスス７１２により互いに接続された、無線受信機モジュール７０２、無線送信機モジュール７０４、プロセッサ７０６、ユーザ入出力装置７０８及びメモリ７１０を含む。幾つかの実施形態においては、無線端末７００はまた、バス７１２に接続するネットワーク・インターフェース７０７を含む。ネットワーク・インターフェース７０７は、無線端末７００が、（例えば有線又は光ファイバーリンクを介して）バックホール・ネットワークに接続することを可能にする。
【００７７】
メモリ７１０は、ルーチン群７１８及びデータ／情報７２０を含む。プロセッサ７０６（例えば、ＣＰＵ）は、無線端末７００のオペレーションを制御し、方法（例えば図６のフローチャート６００の方法）を実行するために、ルーチン群７１８を実行し、また、メモリ７１０中のデータ／情報７２０を使用する。
【００７８】
無線受信機モジュール７０２（例えば、ＯＦＤＭ及び／又はＣＤＭＡ受信機）は、受信アンテナ７１４に接続される。無線端末７００は、受信アンテナ７１４を介して他の無線デバイスから信号を受信する。受信された信号は、制御ブロードキャスト・インジケータ・シグナル及びブロードキャスト・トラフィック信号を含む。
【００７９】
無線送信機モジュール７０４（例えば、ＯＦＤＭ及び／又はＣＤＭＡ送信機）は、送信アンテナ７１６に接続する。無線端末７００は、送信アンテナ７１６を介して他の無線端末へ信号を送信する。送信された信号は、干渉制御信号を含む。幾つかの実施形態においては、同一のアンテナが、受信機及び送信機のために使用される。
【００８０】
ルーチン群７１８は、通信ルーチン７２２及び制御ルーチン群７２４を含む。通信ルーチン７２２は、無線端末７００により用いられる様々な通信プロトコルを実装する。制御ルーチン群７２４は、ブロードキャスト・インジケータ・シグナル監視モジュール７２６、干渉制御シグナリング決定モジュール７２８、干渉制御信号生成モジュール７３２、干渉制御信号制御モジュール７３４、及び、ブロードキャスト・トラフィック信号回復モジュール７３８（broadcast traffic signal recovery module）を含む。干渉制御シグナリング決定モジュール７２８は、干渉トレランス判定サブモジュール（interference tolerance determination sub-module）７３０を含む。干渉制御信号制御モジュール７３４は、レスポンス資源選択モジュール７３６を含む。
【００８１】
データ／情報７２０は、繰り返されるタイミング構造の情報７４０、検出されたブロードキャスト・インジケータ・シグナルの情報７４４、識別された最高プライオリティーの検出されたブロードキャスト・インジケータ・シグナルを識別する情報（information identifying the identified highest priority detected broadcast indicator signal）７５８、判定された推定干渉７６０、干渉トレランス閾値７６２、干渉制御信号送信決定７６４、生成された干渉制御信号７６６、最高プライオリティーの検出ブロードキャスト信号に関連するレスポンス資源のセットを識別する情報（information identifying a set of response resources associated with the highest priority detected broadcast signal）７６８、選択されたレスポンス送信ユニット７７０、及び、受信されたブロードキャスト・トラフィック信号データ／情報７７２を含む。検出されたブロードキャスト・シグナルの情報７４４は、同一のデータ送信スロットに対応する複数の検出されたブロードキャスト・インジケータ・シグナルに対応する情報（（検出されたブロードキャスト信号１ ７４６、検出されたブロードキャスト信号１の受信電力レベルの情報７４８、検出されたブロードキャスト・インジケータ・シグナル１に関連するプライオリティー・レベルの情報７５０）、（検出されたブロードキャスト信号２ ７５２、検出されたブロードキャスト信号２の受信電力レベルの情報７５４、検出されたブロードキャスト・インジケータ・シグナル２に関連するプライオリティー・レベルの情報７５６））を含む。
【００８２】
ブロードキャスト・インジケータ・シグナル監視モジュール７２６は、受信された信号から、ブロードキャスト・インジケータ・シグナルを検出する。ブロードキャスト・インジケータ・シグナル監視モジュール７２６は、（ｉ）受信信号において、第２のデバイスからの第１のブロードキャスト・インジケータ・シグナルを検出するように構成され（該第１のブロードキャスト・インジケータ・シグナルは、該第２のデバイスに対応する第１のプライオリティーを持ち、該第１のブロードキャスト・インジケータ・シグナルは、第２のデバイスによりデータをブロードキャストする意図を示すものである）、及び、（ｉｉ）受信信号において、第３のデバイスからの第２のブロードキャスト・インジケータ・シグナルを検出するように構成される（該第２のブロードキャスト・インジケータ・シグナルは、該第３のデバイスに対応する第２のプライオリティーを持ち、該第２のブロードキャスト・インジケータ・シグナルは、第３のデバイスによりデータをブロードキャストする意図を示すものである）。例えば、使用中の繰り返されるタイミング構造における同一のスロットにおいて、第２及び第３のデバイスの両方は、同一のエアーリンク・データ資源（例えば、同一のトラフィック・セグメント）を使用して、ブロードキャスト・トラフィック信号を送信する意図であっても良く、また、それぞれが、ブロードキャスト・インジケータ・シグナルを送信し、それがブロードキャスト・インジケータ・シグナル監視モジュール７２６により受信され検出されたものであっても良く、異なるプライオリティーが、二つの異なる検出されたブロードキャスト・インジケータ・シグナルに関連していても良い。
【００８３】
干渉制御シグナリング決定モジュール７２８は、第１及び第２の受信され検出されたブロードキャスト・インジケータ・シグナルの相対的なプライオリティーの関数として、干渉制御信号を送信するか否かを決定する。干渉トレランス判定サブモジュール７３０は、上記第２のデバイスと上記第３のデバイスとのうちのより低いプライオリティーの一つによるブロードキャストが、上記第２のデバイスと上記第３のデバイスとのうちのより高いプライオリティーの一つに対する容認できないレベルの干渉をもたらすであろうかどうか判定する。言い換えると、干渉トレランス判定サブモジュール７３０は、より低いプライオリティーのデバイスがより高いプライオリティーのデバイスと同時にデータをブロードキャストすることを許容することが、該より高いプライオリティー・デバイスからのブロードキャスト・データの無線端末７００による正常な回復（successful recovery）に対して、容認できないほど影響を与えることが予期されるかうか判定する。
【００８４】
干渉制御信号生成モジュール７３２は、干渉制御信号（例えば、信号７６６）を生成する。幾つかの実施形態においては、干渉制御信号は、ブロードキャストすることを意図する少なくとも一つのより低いプライオリティーのデバイスに対して、ブロードキャストを抑制（refrain）するように指示（instructing）する信号である。幾つかの実施形態においては、干渉制御信号は、ブロードキャストすることを意図する少なくとも一つのより低いプライオリティーのデバイスに対して、ブロードキャストを抑制するように要求（requesting）する信号である。様々な実施態様において、干渉制御信号は、ＯＦＤＭシンボルのシングルトーンを使用して通信された信号である。
【００８５】
干渉制御シグナリング決定モジュール７２８が干渉制御信号を送信することに決定した場合に、干渉制御信号制御モジュール７３４は、生成された制御干渉信号を送信するように、無線送信機モジュール７０４を制御する。干渉のレベルが容認できないと干渉トレランス判定サブモジュール７３０が判定した場合に、干渉制御シグナリング決定モジュール７２８は、干渉制御信号を送信することに決定する。干渉制御信号制御モジュール７３４は、生成された干渉制御信号を、上記第２のデバイスと上記第３のデバイスとのうちのより高いプライオリティーのプライオリティー・レベルで送信するように、無線送信機モジュール７０４を制御するように構成される（第２及び第３のデバイスは、それらからブロードキャスト・インジケータ・シグナルが検出され、干渉トレランス判定のために使用される二つのデバイスである）。
【００８６】
レスポンス資源選択モジュール７３６は、上記第２のデバイスと上記第３のデバイスとのうちのより高いプライオリティーのプライオリティー・レベルを持つ複数の複数の干渉信号送信資源から、干渉シグナリング・エアーリンク資源を選択する。例えば、各々のブロードキャスト・デバイス識別子に対応する、繰り返される構造における所定のスロットに関して、（ｉ）ブロードキャスト・インジケータ・シグナルを運ぶことを指定された単一のブロードキャスト送信リクエスト資源と、（ｉｉ）対応する複数のブロードキャスト送信リクエスト・レスポンス資源（それらの各々は、干渉制御信号を運ぶために使用されても良い。）とが存在し、また、レスポンス資源選択モジュール７３６は、該より高いプライオリティーのデバイスに対応する複数のブロードキャスト送信リクエスト・レスポンス資源のうちのいずれの一つを、該制御干渉信号を送信するために使用すべきかの選択を行う。幾つかの実施形態においては、レスポンス資源選択モジュール７３６は、疑似ランダム的にその選択を行う。幾つかの実施形態においては、干渉信号送信資源は、個別のＯＦＤＭトーンシンボルであり、ここで、ＯＦＤＭトーンシンボルは、一つのＯＦＤＭシンボル送信タイムインターバルの継続時間の期間中の一つのＯＤＦＭトーンである。
【００８７】
ブロードキャスト・トラフィック信号回復モジュール７３８は、トラフィック・セグメントにおいて通信されたブロードキャスト・データの信号及び情報（例えば、該スロットについて検出された最も高いプライオリティーのブロードキャスト・インジケータ・シグナルに対応するブロードキャスト信号）を回復する。回復は、同一のスロットの期間にブロードキャストすることを意図していたが無線端末７００からの干渉制御信号に応答して譲歩した１又は複数のより低いプライオリティーのデバイスにより実行される送信機イールディングにより推進されても良く、そして時々そのように推進される。
【００８８】
繰り返されるタイミング構造の情報７４０は、ブロードキャスト送信機能（capability）をサポートする複数のスロットを識別する情報と、それらのスロット中のエアーリンク資源を識別する情報とを含む。個別のスロットのためのエアーリンク資源は、ブロードキャスト・インジケータ・シグナルを運ぶことを指定されたエアーリンク資源（例えば、ブロードキャスト・リクエスト資源）、干渉制御信号を運ぶことを指定されたエアーリンク資源（例えば、ブロードキャスト・リクエスト・レスポンス資源）、及び、ブロードキャスト・トラフィック信号を含むことのあるトラフィック信号を運ぶことを指定された資源（例えば、トラフィック・セグメント）を含む。デバイスＩＤ／プライオリティー／インデックスの情報７４２は、特定のブロードキャスト・デバイス識別子を、繰り返される構造における複数のスロットの各々に関する特定のプライオリティーに関連付ける情報を含む。特定のブロードキャスト・デバイス識別子に関連するプライオリティー・レベルは、（例えば、ホッポング・シーケンスに従って）少なくとも幾つかの異なるスロットについて異なっても良く、そして時々そのように異なる。幾つかの実施形態においては、プライオリティーは、資源ブロックにおける位置（例えば、ブロードキャスト送信リクエスト・ブロックにおける送信ユニットの位置及び／又はブロードキャスト送信リクエスト・レスポンス・ブロックにおける一つの送信ユニット又は一セットの送信ユニットの位置）に関連付けられる。繰り返されるタイミング構造についてブロードキャスト・デバイス識別子に関連するプライオリティーを変化させることによって、異なるデバイスは、干渉が生じる場合（例えば、同一のデバイスが制御干渉信号を介して継続的にブロックされる場合）においてブロードキャストすることを許容されるための機会を与えられる。
【００８９】
検出されたブロードキャスト・インジケータ・シグナルの情報７４４は、ブロードキャスト・インジケータ監視モジュール７２６により検出された信号に対応する情報を表す。識別された最高プライオリティーの検出されたブロードキャスト・インジケータ・シグナル７５８は、情報７４４における信号のうちの一つを識別する情報を含む。判定された推定干渉７６０は、干渉トレランス判定サブモジュール７３０による処理の結果である。干渉トレランス閾値情報７６２は、判定をすることにおける判定された推定干渉７６０とともに、干渉トレランス判定サブモジュール７３０により使用される、制限値（例えば、予め定められた保存された値）である。干渉制御信号送信決定７６４は、干渉制御シグナリング決定モジュール７２８の出力であり、また、干渉制御信号制御モジュール７３４により入力として使用される。最高プライオリティーの検出ブロードキャスト信号に関連するレスポンス資源のセットを識別する情報（information identifying a set of response resources associated with the highest priority detected broadcast signal）７６８は、レスポンス資源選択モジュール７３６の入力であり、一方、選択されたレスポンス送信ユニット７７０は、モジュール７３６の出力である。受信されたブロードキャスト・トラフィック信号のデータ／情報７７２は、ブロードキャスト・トラフィック信号回復モジュール７３８の出力である。
【００９０】
高いプライオリティーのブロードキャスト・デバイス識別子に関連する単一のブロードキャスト・インジケータ・シグナルに対応して、複数の受信機デバイスが、その高いプライオリティーのデバイスからのブロードキャストと同時により低いプライオリティーのデータ・ブロードキャストを許すことは、より高いプライオリティーのデータ・ブロードキャストを回復することができるという観点から、容認できないと決定しても良く、そして時々そのように決定することは、認識されるべきである。そのような状況においては、複数の受信機デバイス（デバイス７００がその一つであっても良い。）が、制御干渉信号をそれぞれ送信しても良い。各々の受信機デバイスが、その制御干渉信号を送信することに関するより高いプライオリティーのデバイスに関連する複数の送信ユニットから、一つの送信ユニットを疑似ランダム的に選択することによって、二つの制御干渉信号間の衝突の可能性が低減される構造干渉（construction interference）による衝突は、意図しないブロードキャスト・デバイスが送信を抑制することに決定することをもたらすであろう。相殺的干渉（destructive interference）による衝突は、制御干渉信号がそのために意図されたところのデバイスが、該信号を検出することに失敗すること及びその意図されたブロードキャスト送信をキャンセルすることに失敗することをもたらすであろう。
【００９１】
図８は、幾つかの実施態様において使用される例示的な繰り返されるタイミング構造を示す図８００である。図８の例示的な構造は、図１，２，３，４，５，６，７，１０又は１１に関して説明されるデバイスのネットワークのいずれにおいても使用されることができる。図８００は、時間軸８０１及び複数のスロット（ピア・ディスカバリー・スロット８０２，ブロードキャスト／ユニキャスト・スロット８０４，ユニキャスト・スロット８０６，ユニキャスト・スロット８０８，ブロードキャスト／ユニキャスト・スロット８１０，ユニキャスト・スロット８１２，．．．，ピア・ディスカバリー・スロット８１４，．．．）を示す。ピア・ディスカバリー・スロット８０２は、デバイス識別子信号を相互に通信し、相互にコネクションを確立し、及び／又は、コネクション及び／又はブロードキャスト機会に関連する資源を取得するために、無線ピアツーピア・デバイスにより使用される。ブロードキャスト／ユニキャスト・スロット（例えば、スロット８０４）は、ブロードキャスト・データ・トラフィック・シグナリング及びユニキャスト・データ・トラフィック・シグナリング（例えば、ピアツーピアのユニキャスト・データ・トラフィック・シグナリング）をサポートするために構築される。ユニキャスト・スロット（例えば、スロット８０６）は、ユニキャスト・データ・トラフィック・シグナリング（例えば、ピアツーピアのデータ・トラフィック・シグナリング）をサポートするために構築される。この例示的な実施態様において、繰り返されるタイミング構造の一つの繰り返しに関して、ブロードキャスト／ユニキャスト・スロットが存在するのに比較して、より多くのユニキャスト・スロットが存在する。幾つかの実施形態においては、ブロードキャスト可能なスロットの周期性（periodicity）は、システム・パラメータにより制御される。幾つかのそのような実施形態において、ブロードキャスト／ユニキャスト・スロットとユニキャスト・スロットとの間のバランスを、現在のニーズを満たすように調整するために、該パラメータは、オペレーションの間、動的に変更されることができる。
【００９２】
例示的なブロードキャスト・ユニキャスト／スロット８０４は、ブロードキャスト・プリアンブル・エアーリンク資源の部分８１６、ユニキャスト・プリアンブル・エアーリンク資源の部分８１８、プリアンブル・エアーリンク資源の部分８２０、データ・エアーリンク資源の部分８２２、及び、承認エアーリンク資源の部分８２４を含む。ブロードキャスト・プリアンブル８１６は、ブロードキャスト送信リクエスト・エアーリンク資源の部分８２６、ブロードキャスト受信機レスポンス・エアーリンク資源の部分８２８、ユニキャスト送信リクエスト・エアーリンク資源の部分８３０、及び、ユニキャスト受信機送信リクエスト・レスポンス・エアーリンク資源の部分８３２を含む。この例において、ブロードキャスト送信リクエスト・エアーリンクの部分８２６において通信されたブロードキャスト送信リクエストは、ユニキャスト送信リクエスト・エアーリンク資源の部分８３０において通信されたユニキャスト送信リクエストより高いプライオリティーを持つ。リクエストは、ブロードキャスト・リクエストかユニキャスト・リクエストかにかかわらず、該スロットにおける対応するデータ・エアーリンク資源の部分を使用するためのリクエストである。
【００９３】
ブロードキャスト・シグナリングは、要求される場合には、ブロードキャスト／ユニキャスト・スロット８０４に関するユニキャスト・シグナリングに優先する。しかし、いかなるブロードキャスト・トラフィックも近隣に存在しないならば、データ・エアーリンク資源の部分８２２は、ピアツーピア・ユニキャスト・トラフィック信号を運ぶために使用されることができ、そして時々そのように使用される。
【００９４】
ブロードキャスト・プリアンブル８１６は、データ資源８２２において通信されるべきブロードキャスト・トラフィックをスケジューリングするために使用される。ユニキャスト・プリアンブル８１８は、データ資源８２２において通信されるべきピアツーピア・トラフィックをスケジューリングするために使用される。プリアンブル８２２は、データ資源８２２において通信されるべきピアツーピア・トラフィックのレート・スケジューリングのために使用される。幾つかの実施態様におけるプリアンブル８１８は、パイロット信号に割り当てられる資源と、チャネル品質情報及び／又はデータレート情報信号に割り当てられる資源とを含む。データ資源８２２は、ブロードキャスト・トラフィック信号及び／又はピアツーピア・トラフィック信号を運ぶために使用される。承認資源８２４は、ピアツーピア・トラフィック信号（それが通信された場合）のためのトラフィック承認を運ぶために使用される。
【００９５】
幾つかの実施形態においては、プリアンブル資源８２０及び／又は承認資源８２４は、ブロードキャスト・シグナリングの目的のためには使用されない。幾つかの実施形態においては、ブロードキャスト・チャネルは、例えば低く予め定められたレートで符号化れたデータによる、シングルレートのブロードキャスト・チャネルであり、それゆえ、プリアンブル部は、ブロードキャスト・データレートを判定しセットするために、必要でもないし使用もされない。幾つかの実施形態においては、ブロードキャストすることを意図するデバイスは、ユニキャスト受信機が、干渉ダメージを推定する際に受信し利用するために、パイロットを送信する。幾つかの実施形態においては、そのようなパイロットはプリアンブル８２０において通信されるが、他の実施形態においては、そのようなパイロットが他の部分において通信されても良い（例えば、ブロードキャスト・デバイスからのディスカバリー信号が利用されても良い）。
【００９６】
ブロードキャスト送信リクエスト・エアーリンク資源部８２６は、無線デバイスからのブロードキャスト・リクエスト（時々、代わりに、ブロードキャスト・インジケータ・シグナルと呼ばれる）を運ぶために使用される。ブロードキャスト受信機レスポンス・エアーリンク資源８２８は、ブロードキャスト送信リクエスト信号の受信機からの干渉制御信号を運ぶために使用される。ユニキャスト送信リクエスト・エアーリンク資源８３０は、ピアツーピア送信リクエスト信号を運ぶために使用されるが、ユニキャスト受信機送信リクエスト・レスポンス・エアーリンク資源８３２は、受信されたピアツーピア送信リクエスト信号に応答する送信リクエスト・レスポンス信号を運ぶために使用される。
【００９７】
幾つかの実施形態においては、ブロードキャスト／ユニキャスト・スロットのために異なる構造が利用される。例えば、他の例示的な実施態様において、ブロードキャスト送信リクエスト資源が、例えば一つのブロックにおいて、ユニキャスト送信リクエスト資源に連結され、そして、該ブロックの後にリクエスト・レスポンス資源ブロックが続く構造が、使用される。
【００９８】
図９は、例示的なブロードキャスト送信リクエスト・エアーリンク資源８２６及び例示的なブロードキャスト受信機レスポンス・エアーリンク資源８２８を更に詳細に示す。ブロードキャストに関するこの例示的な実施態様において、リクエスト資源よりもレスポンス資源に対して、より多くの資源が割り当てられる。例示的なブロードキャスト・リクエスト資源８２６は、１２個の個別の送信リクエスト・ユニット（それぞれは、異なるブロードキャスト・コネクション識別子に関連する）を含む。この特定のスロットに関する例について、ブロードキャスト送信リクエスト伝送ユニット９０２は、ブロードキャスト識別子２に関連し、一方、ブロードキャスト送信リクエスト・ユニット９０４は、ブロードキャスト識別子５に関連する。ブロードキャスト送信リクエスト・エアーリンク資源８２６内の各々の位置は、プライオリティー（例えば、異なるプライオリティー）に関連する。この例において、送信ユニット９０２は、送信ユニット９０４より高いプライオリティーを持つ。幾つかの実施形態においては、例えばブロードキャスト識別子をブロードキャスト送信リクエスト資源内の異なる送信ユニット位置へマッピングするホッピング・シーケンスに従って、一つのブロードキャスト／ユニキャスト・スロットから他のブロードキャスト／ユニキャスト・スロットまで、特定のブロードキャスト・デバイス識別子に関連するプライオリティーが変化する。
【００９９】
ブロードキャスト受信機レスポンス資源８２８は、各々のブロードキャスト・デバイス識別子に関連する一セットの送信ユニットを含む。例えば、ブロードキャスト・デバイス識別子２に対応して、制御干渉信号を運ぶために割り当てられる６つの送信ユニット（９０６，９０８，９１０，９１２，９１４，９１６）が存在する。同様に、ブロードキャスト・デバイス識別子５に対応して、制御干渉信号を運ぶために割り当てられる６つの送信ユニット（９１８，９２０，９２２，９２４，９２６，９２８）が存在する。プライオリティーはまた、資源８２８内の異なるデバイス識別子に関連する。
【０１００】
図１０は、例示的な一実施態様に従って、ピアツーピア・ネットワークの領域における例示的なシグナリングを示す図１０００を含む。図１０の例において、図８及び９に関して説明されるブロードキャスト送信リクエスト資源８２６及びブロードキャスト受信機レスポンス資源８２８が利用されると仮定する。この例では、ＷＴ Ａ １００１及びＷＴＡ´ １００３が、同一のエアーリンク・データ資源８２２においてデータをブロードキャストすることを望んでいる。ＷＴ Ａ １００１は、現在、ブロードキャスト・リクエスト送信ユニット９０２及びブロードキャスト受信機レスポンス送信ユニット（９０６，９０８，９１０，９１２，９１４，９１６）に関連するブロードキャスト・コネクション識別子２を保持すると仮定する。ＷＴ Ａ´ １００２は、現在、ブロードキャスト・リクエスト送信ユニット９０４及びブロードキャスト受信機レスポンス送信ユニット（９１８，９２０，９２２，９２４，９２６，９２８）に関連するブロードキャスト・コネクション識別子５を保持すると仮定する。このスロットに関して、コネクション識別子２に関連するブロードキャスト・リクエストは、コネクション識別子５に関連するブロードキャスト・リクエストより高いプライオリティーを持つと仮定する。
【０１０１】
ＷＴ Ａ １００１は、送信ユニット９０２を利用して通信されるブロードキャスト送信リクエスト信号１００２を生成する。ブロードキャスト・リクエスト信号１００２は、ＷＴ Ｂ １００５，ＷＴ Ｃ １００７及びＷＴ Ｄ １００９により受信され回復される。ＷＴ Ａ´ １００３は、ブロードキャスト送信リクエスト信号１００４を生成し、そして、それはＷＴ Ｂ １００５により受信され回復される。ＷＴ Ｃ １００７及びＷＴ Ｄ １００９は、ＷＴ Ａ´ １００３から十分に十分遠くに離れているので、それらは、ＷＴ Ａ´ １００３からブロードキャスト・リクエスト信号１００４を検出せず或いはＷＴ Ａ１００１からブロードキャスト信号を受信することに関して干渉問題を提供しないような低電力レベルでそれを検出する。
【０１０２】
ＷＴ Ｂの受信機の観点から、ＷＴ Ａ´ １００３からの同時に起こるブロードキャスト信号が、より高いプライオリティーを持つＷＴ Ａ１００１からのブロードキャスト信号のその受信に対して容認できないほどに干渉するであろうから、ＷＴ Ｂ １００５は、それがＷＴ Ａ´ １００３にブロードキャストすることを抑制するよう望むことを決定する。したがって、ＷＴ Ｂ １００５は、ＷＴ Ａに関連する一セットの送信ユニット（９０６，９０８，９１０，９１２，９１４，９１６）から、レスポンス送信ユニットの一つを、例えばランダムに、選択する。この場合、ＷＴ Ｂ １００５は、送信ユニット９１０を使用するために選択する。ＷＴ Ｂ １００５は、エアーリンク資源送信ユニット９１０を使用して干渉制御信号１００６を生成し送信する。
【０１０３】
ＷＴ Ａ １００１は、それ自身のプライオリティー・レベルより高いプライオリティーに関連する資源の上で、干渉制御信号を監視する。ＷＴ Ａ １００１は、そのような干渉制御信号を何も検出しないので、それは、その意図されたブロードキャストを開始して良いと判定する。
【０１０４】
ＷＴ Ａ´ １００３は、それ自身のプライオリティー・レベルより高いプライオリティーに関連する資源の上で干渉制御信号を監視し、資源９１０の上で干渉制御信号１００６を検出する。干渉制御信号１００６は、ＷＴ Ａ´ １００３において閾値を上回るレベルで受信される。したがって、ＷＴ Ａ´ １００３は、それがデータをブロードキャストことが容認されないと判定して、データ資源８２２においてトラフィック信号をブロードキャストすることを抑制する。
【０１０５】
ＷＴ Ａ １００１は、データ資源８２２においてブロードキャスト・トラフィック信号１００８を送信し、そして、それはＷＴ Ｂ １００５，ＷＴ Ｃ １００７及びＷＴ Ｄ １００９により正常に受信され回復される。
【０１０６】
図１１は、例示的な一実施態様に従って、ピアツーピア・ネットワークの領域における例示的なシグナリングを示す図１１００を含む。図１１の例において、図8及び９に関して説明されるブロードキャスト送信リクエスト資源８２６及びブロードキャスト受信機レスポンス資源８２８が利用されると仮定する。この例では、ＷＴ Ａ １１０１及びＷＴＡ´ １１０３が、同一のエアーリンク・データ資源８２２においてデータをブロードキャストすることを望んでいる。ＷＴ Ａ １１０１は、現在、ブロードキャスト・リクエスト送信ユニット９０２及びブロードキャスト受信機レスポンス送信ユニット（９０６，９０８，９１０，９１２，９１４，９１６）に関連するブロードキャスト・コネクション識別子２を保持すると仮定する。ＷＴ Ａ´ １１０２は、現在、ブロードキャスト・リクエスト送信ユニット９０４及びブロードキャスト受信機レスポンス送信ユニット（９１８，９２０，９２２，９２４，９２６，９２８）に関連するブロードキャスト・コネクション識別子５を保持すると仮定する。このスロットに関して、コネクション識別子２に関連するブロードキャスト・リクエストは、コネクション識別子５に関連するブロードキャスト・リクエストより高いプライオリティーを持つと仮定する。
【０１０７】
ＷＴ Ａ １１０１は、送信ユニット９０２を利用して通信されるブロードキャスト送信リクエスト信号１１０２を生成する。ブロードキャスト・リクエスト信号１１０２は、ＷＴ Ｂ １１０５，ＷＴ Ｃ １１０７及びＷＴ Ｄ １１０９により受信され回復される。ＷＴ Ａ´ １１０３は、ブロードキャスト送信リクエスト信号１１０４を生成し、そして、それはＷＴ Ｂ １１０５及びＷＴ Ｃ １１０７により受信され回復される。ＷＴ Ｄ １１０９は、ＷＴ Ａ´ １１０３から十分に十分遠くに離れているので、それは、ＷＴ Ａ´１１０３からブロードキャスト・リクエスト信号１１０４を検出せず或いはＷＴ Ａ １１０１からブロードキャスト信号を受信することに関して干渉問題を提供しないような低電力レベルでそれを検出する。
【０１０８】
ＷＴ Ｂの受信機の観点から、ＷＴ Ａ´ １１０３からの同時に起こるブロードキャスト信号が、より高いプライオリティーを持つＷＴ Ａ１１０１からのブロードキャスト信号のその受信に対して容認できないほどに干渉するであろうから、ＷＴ Ｂ １１０５は、それがＷＴ Ａ´ １１０３にブロードキャストすることを抑制するよう望むことを決定する。したがって、ＷＴ Ｂ １１０５は、ＷＴ Ａに関連する一セットの送信ユニット（９０６，９０８，９１０，９１２，９１４，９１６）から、レスポンス送信ユニットの一つを、例えばランダムに、選択する。この場合、ＷＴ Ｂ １１０５は、送信ユニット９１０を使用するために選択する。ＷＴ Ｂ １１０５は、エアーリンク資源送信ユニット９１０を使用して干渉制御信号１１０６を生成し送信する。
【０１０９】
ＷＴＣの受信機の観点から、ＷＴ Ａ´ １１０３からの並列のブロードキャスト信号が、より高いプライオリティーを持つＷＴ Ａ１１０１からのブロードキャスト信号のその受信に対して容認できないほどに干渉するであろうから、ＷＴＣ １１０７は、それがＷＴ Ａ´ １１０３にブロードキャストすることを抑制するよう望むことを決定する。したがって、ＷＴＣ １１０７は、ＷＴ Ａに関連する一セットの送信ユニット（９０６，９０８，９１０，９１２，９１４，９１６）から、レスポンス送信ユニットの一つを、例えばランダムに、選択する。この場合、ＷＴＣ １１０７は、送信ユニット９１４を使用するために選択する。ＷＴＣ １１０７は、エアーリンク資源送信ユニット９１４を使用して干渉制御信号１００８を生成し送信する。
【０１１０】
ＷＴ Ａ １１０１は、それ自身のプライオリティー・レベルより高いプライオリティーに関連する資源の上で、干渉制御信号を監視する。ＷＴ Ａ １１０１は、そのような干渉制御信号を何も検出しないので、それは、その意図されたブロードキャストを開始して良いと判定する。
【０１１１】
ＷＴ Ａ´ １１０３は、それ自身のプライオリティー・レベルより高いプライオリティーに関連する資源の上で干渉制御信号を監視し、資源９１０の上で干渉制御信号１００６を検出し、かつ、資源９１４の上で干渉制御信号１００８を検出する。ＷＴ Ａ´ １１０３は、受信され検出されたより高いプライオリティーの干渉制御信号のそれぞれを、閾値と比較する。この例では、検出されたより高いプライオリティー制御信号のうちの少なくとも一つは、閾値を超える。したがって、ＷＴ Ａ´ １１０３は、データをブロードキャストしないことに決定して、データ資源８２２においてトラフィック信号をブロードキャストすることを抑制する。
【０１１２】
ＷＴ Ａ １１０１は、データ資源８２２においてブロードキャスト・トラフィック信号１１１０を送信し、そして、それはＷＴ Ｂ １１０５，ＷＴ Ｃ １１０７及びＷＴ Ｄ １１０９により正常に受信され回復される。
【０１１３】
例えば、ＷＴ Ａ １００１，ＷＴ Ａ´ １００３，ＷＴ Ｂ １００５，ＷＴ Ｃ １００７，ＷＴ Ｄ １００９は、例えば、図３，５及び／又は７のうちの１又は複数に従った無線デバイス、及び／又は、図２，４及び／又は６の方法のうちの１又は複数を実装する無線デバイスである。例えば、ＷＴ Ａ １１０１，ＷＴ Ａ´ １１０３，ＷＴ Ｂ １１０５，ＷＴ Ｃ １１０７，ＷＴ Ｄ １１０９は、例えば、図３，５及び／又は７のうちの１又は複数に従った無線デバイス、及び／又は、図２，４及び／又は６の方法のうちの１又は複数を実装する無線デバイスである。
【０１１４】
様々な実施態様の技術は、ソフトウェア、ハードウェア、及び／又は、ソフトウェアとハードウェアとの組み合わせを使用して実装されても良い。様々な実施態様は、装置、例えば、モバイル・アクセス端末を始めとするモバイルノード、１又は複数の接続ポイントを含む基地局、及び／又は、通信システムに向けられる。様々な実施態様はまた、方法、例えば、モバイルノード、基地局及び／又は通信システム（例えば、ホスト）を制御及び／又は操作する方法に向けられる。様々な実施態様はまた、機械（例えばコンピュータ）を方法の１又は複数のステップを実行するように制御するための機械読み取り可能なインストラクションを含む機械読み取り可能な媒体（例えば、ＲＯＭ、ＲＡＭ、ＣＤ、ハード・ディスクなど）に向けられる。
【０１１５】
本明細書で説明される様々な実施形態においてノードは、例えば、データをブロードキャストする意図を示すブロードキャスト・インジケータ・シグナルを送信すること、上記ブロードキャスト・インジケータ・シグナルの送信の後に続く、干渉制御信号を監視すること、該監視の結果に基づいて、データをブロードキャストすることを開始するか否か決定すること、第２のデバイスから、該第２のデバイスに対応する第１のプライオリティーを持つ第１のブロードキャスト・インジケータ・シグナル（該第１のブロードキャスト・インジケータ・シグナルは、該第２のデバイスによりデータをブロードキャストする意図を示している）を受信すること、第３のデバイスから、該第３のデバイスに対応する第２のプライオリティーを持つ第２のブロードキャスト・インジケータ・シグナル（該第２のブロードキャスト・インジケータ・シグナルは、該第３のデバイスによりデータをブロードキャストする意図を示している）を受信すること、第１及び第２のブロードキャスト・インジケータ・シグナルの相対的なプライオリティーの関数として、干渉制御信号を送信するか否か決定することなど、１又は複数の方法に対応するステップを実行するために１又は複数のモジュールを使用して実装される。それゆえ、幾つかの実施態様においては、様々な特徴がモジュールを使用して実装される。そのようなモジュールは、ソフトウェア、ハードウェア又はソフトウェアとハードウェアとの組み合わせを使用して実装されても良い。上述した方法又は方法ステップの多くは、メモリ・デバイス（例えば、ＲＡＭ、フロッピー（登録商標）ディスクなど）を始めとする機械読み取り可能な媒体中に含まれ、例えば１又は複数のノードにおいて、上述した方法の全部又は一部を実行するように機械（例えば、更なるハードウェアの有無にかかわらない汎用コンピュータ）を制御するための、ソフトウェアを始めとする機械実行可能なインストラクションを用いて、実装されることができる。したがって、とりわけ、様々な実施態様は、機械（例えば、プロセッサ及び関連するハードウェア）に上記の（１又は複数の）方法のステップのうちの１又は複数を実行させるための機械実行可能なインストラクションを含む機械読み取り可能な媒体に向けられる。幾つかの実施態様は、本発明の１又は複数の方法におけるステップのうちの１つ、複数又は全部を実行するように構成されたプロセッサを含むデバイス（例えば、通信デバイス）に向けられる。
【０１１６】
幾つかの実施態様は、一つのコンピュータ又は複数のコンピュータに、様々な機能、ステップ、アクト及び／又はオペレーション（例えば上述した１又は複数のステップ）を実行させるためのコードを含むコンピュータ読み取り可能な媒体を含むコンピュータープログラム製品に向けられる。実施態様に応じて、コンピュータープログラム製品は、各々のステップが実行されるための異なるコードを含むことができ、そして時々それを含む。それゆえ、コンピュータープログラム製品は、方法（例えば、通信デバイス又はノードを制御する方法）における各々の個別のステップのためのコードを含んでも良く、そして時々それを含む。コードは、例えばＲＡＭ（ランダムアクセスメモリ（Random Access Memory））、ＲＯＭ（読出し専用メモリ（Read Only Memory））又は他のタイプの記憶装置のようなコンピュータ読み取り可能な媒体に記憶された機械（例えば、コンピュータ）実行可能なインストラクションの形であっても良い。コンピュータープログラム製品に向けられることに加えて、幾つかの実施態様は、上述した１又は複数の方法における様々な機能、ステップ、アクト及び／又はオペレーションのうちの１又は複数を実行するように構成されたプロセッサに向けられる。したがって、幾つかの実施態様は、本明細書で説明された方法におけるステップの一部又は全部を実行するように構成されたプロセッサ（例えば、ＣＰＵ）に向けられる。例えば、プロセッサは、例えば本願において説明された通信デバイス又は他のデバイスに使用されても良い。
【０１１７】
幾つかの実施形態においては、１又は複数のデバイス（例えば、無線端末を始めとする通信デバイス）の一つのプロセッサ又は複数のプロセッサ（例えば、複数のＣＰＵ）は、通信デバイスにより実行されるように説明された方法におけるステップを実行するように構成される。したがって、すべてとは限らないが幾つかの実施態様は、プロセッサが含まれるデバイスにより実行される様々な説明された方法における、ステップの各々に対応するモジュールを含むプロセッサを搭載したデバイス（例えば、通信デバイス）に向けられる。すべてとは限らないが幾つかの実施態様において、デバイス（例えば、通信デバイス）は、プロセッサが含まれるデバイスにより実行される様々な説明された方法における、ステップの各々に対応するモジュールを含む。モジュールは、ソフトウェア及び／又はハードウェアを用いて実装されても良い。
【０１１８】
ＯＦＤＭシステムの文脈において説明されたが、様々な実施態様の方法及び装置の少なくとも一部は、多くの非ＯＦＤＭ及び／又は非セルラー・システムを含む広範囲にわたる通信システムに適用できる。
【０１１９】
上述した様々な実施態様の方法及び装置に対する多数の更なる変形は、上述の説明を考慮すれば当業者にとって明らかであろう。そのような変形は、本範囲内であるとみなされるべきである。本方法及び装置は、ＣＤＭＡ、直交周波数分割多重（ＯＦＤＭ）、及び／又はアクセスノードとモバイルノードとの間に無線通信リンクを提供するのに使用し得る様々な他のタイプの通信技術とともに用いられても良く、また、様々な実施態様はそれらとともに用いられる。幾つかの実施形態においては、アクセスノードは、ＯＦＤＭ及び／又はＣＤＭＡを使用してモバイルノードとの通信リンクを確立する基地局として実装される。様々な実施態様においては、本方法を実装するために、モバイルノードは、受信機／送信機回路及び論理及び／又はルーチンを含むノートブック・コンピュータ、携帯情報端末（personal data assistant）（ＰＤＡ）又は他の携帯機器として実装される。 
以下に、本願出願の当初の特許請求の範囲に記載された各請求項に対応する発明を付記する。 
［１］ブロードキャスト送信方法において、 
データをブロードキャストする意図を示すブロードキャスト・インジケータ・シグナルを送信することと、 
前記ブロードキャスト・インジケータ・シグナルの送信の後に続く干渉制御信号を監視することと、 
前記監視の結果に基づいて、データをブロードキャストすることを開始するか否かを決定することを含む方法。 
［２］前記ブロードキャスト・インジケータ・シグナルは、第１のプライオリティー・レベルで送信され、 
前記監視することにより検出された個々の干渉制御信号は、それぞれ、プライオリティー・レベルを持ち、 
前記ブロードキャストすることを開始するか否かを決定することは、前記第１のプライオリティー・レベルより高いプライオリティーを持つ干渉制御信号が受信されたかどうかを判定することを含む［１］の方法。 
［３］ブロードキャストすることを開始するか否かを決定することは、干渉制御信号が前記第１のプライオリティー・レベルより高いプライオリティーを持つ場合に、前記第１のプライオリティー・レベルより高いプライオリティーを持つ少なくとも一つの受信された干渉制御信号の電力レベルに基づいて、干渉判定をすることを含む［２］の方法。 
［４］ブロードキャストすることを開始するか否かを決定することは、該ブロードキャストが開始するならば、前記第１のプライオリティー・レベルより高いプライオリティーを持つ前記干渉制御信号を送信したデバイスに、閾値レベル以上の干渉レベルがもたらされるであろうことを前記干渉判定が判定する場合に、ブロードキャストしないことに決定することを含む［３］の方法。 
［５］前記データをブロードキャストすることを開始するか否かの決定が、データをブロードキャストする決定である場合に、前記送信されたブロードキャスト・インジケータ・シグナルに対応するトラフィック・スロットにおいてデータをブロードキャストすることを更に含む［３］の方法。 
［６］データをブロードキャストする意図を示す第２のブロードキャスト・インジケータ・シグナル（該第２のブロードキャスト・インジケータ・シグナルは、前記第１のプライオリティー・レベルとは異なる第２のプライオリティー・レベルで送信される。）を送信することを更に含む［２］の方法。 
［７］第２のブロードキャスト・インジケータ・シグナルを送信するのに先立って、時間依存性の関数に基づいて、該第２のプライオリティー・レベルを決定する［６］の方法。 
［８］前記第２のプライオリティー・レベルを決定する前記ステップは、前記ブロードキャスト送信方法を実装している通信デバイスに対応する識別子にも基づく［７］の方法。 
［９］前記ブロードキャスト・インジケータ・シグナルは、ＯＦＤＭシンボルのシングルトーンの上で送信される［２］の方法。 
［１０］データをブロードキャストする意図を示すブロードキャスト・インジケータ・シグナルを生成するように構成されたブロードキャスト・インジケータ・シグナル生成モジュールと、 
前記生成されたブロードキャスト・インジケータ・シグナルをブロードキャストするように無線送信機モジュールを制御するように構成されたブロードキャスト・インジケータ・シグナル制御モジュールと、 
前記ブロードキャスト・インジケータ・シグナルの送信の後に続く干渉制御信号を監視するように構成されたレスポンス監視モジュールと、 
前記監視の結果に基づいて、データをブロードキャストすることを開始するか否かを決定するように構成されたブロードキャスト決定モジュールとを含む無線端末。 
［１１］前記ブロードキャスト・インジケータ・シグナルは、第１のプライオリティー・レベルで送信され、 
前記監視することにより検出された個々の干渉制御信号は、それぞれ、プライオリティー・レベルを持ち、 
前記無線端末は、 
前記第１のプライオリティー・レベルより高いプライオリティーを持つ干渉制御信号が受信されたかどうか判定するように構成されたプライオリティー比較モジュールを更に含み、 
前記ブロードキャスト決定モジュールは、前記プライオリティー比較モジュールの決定の関数として、データをブロードキャストすることを開始するか否か判定するように構成された［１０］の無線端末。 
［１２］受信された干渉制御信号の電力レベルを測定するように構成された電力測定モジュールを更に含み、 
前記ブロードキャスト決定モジュールは、前記レスポンス監視モジュールにより前記第１のプライオリティー・レベルより高いプライオリティーを持つ干渉制御信号が検出された場合に、前記第１のプライオリティー・レベルより高いプライオリティーを持つ受信された少なくとも一つの干渉制御信号の電力レベルに基づいて、データをブロードキャストすることを開始するか否かを決定するように構成された［１１］の無線端末。 ［１３］前記無線端末がブロードキャストを開始する場合における他のデバイスに対する干渉を判定するように構成された干渉判定モジュールを更に含み、 
前記ブロードキャスト決定モジュールは、該ブロードキャストが開始するならば、前記第１のプライオリティー・レベルより高いプライオリティーを持つ前記干渉制御信号を送信したデバイスに、閾値レベル以上の干渉レベルがもたらされるであろうことを前記干渉判定モジュールが判定する場合に、ブロードキャストしないことに決定するように構成された［１２］の無線端末。 
［１４］前記データをブロードキャストすることを開始するか否かの決定が、データをブロードキャストする決定である場合に、前記送信されたブロードキャスト・インジケータ・シグナルに対応するトラフィック・スロットにおいてデータをブロードキャストするように前記無線端末を制御するように構成されたブロードキャスト・トラフィック・シグナリング制御モジュールを更に含む［１２］の無線端末。 
［１５］前記無線端末により送信されるべきブロードキャスト・インジケータ・シグナルに関連するプライオリティー・レベルを判定するように構成されたブロードキャスト・インジケータ・シグナル・プライオリティー・レベル判定モジュールを更に備え、 
前記ブロードキャスト・インジケータ・シグナル・プライオリティー・レベル判定モジュールは、時間依存性の関数に基づいて、前記プライオリティー・レベルを判定する［１４の無線端末。 
［１６］前記ブロードキャスト・インジケータ・シグナル・プライオリティー・レベル判定モジュールは、前記ブロードキャスト・インジケータ・シグナルを送信するつもりである前記無線端末に対応する識別子に基づいて、前記プライオリティー・レベルを判定するように構成された［１５］の無線端末。 
［１７］前記ブロードキャスト・インジケータ・シグナルは、ＯＦＤＭシンボルのシングルトーンの上で送信される［１１］の無線端末。 
［１８］データをブロードキャストする意図を示すブロードキャスト・インジケータ・シグナルを生成するためのブロードキャスト・インジケータ・シグナル生成手段と、 前記生成されたブロードキャスト・インジケータ・シグナルをブロードキャストするように無線送信機手段を制御するためのブロードキャスト・インジケータ・シグナル制御手段と、 
前記ブロードキャスト・インジケータ・シグナルの送信の後に続く干渉制御信号を監視するためのレスポンス監視手段と、 
前記監視の結果に基づいて、データをブロードキャストすることを開始するか否かを決定するためのブロードキャスト決定手段とを含む無線端末。 
［１９］前記ブロードキャスト・インジケータ・シグナルは、第１のプライオリティー・レベルで送信され、 
前記監視することにより検出された個々の干渉制御信号は、それぞれ、プライオリティー・レベルを持ち、 
前記無線端末は、 
前記第１のプライオリティー・レベルより高いプライオリティーを持つ干渉制御信号が受信されたかどうか判定するためのプライオリティー比較手段を更に含み、 
前記ブロードキャスト決定手段は、前記プライオリティー比較モジュールの決定の関数として、データをブロードキャストすることを開始するか否か判定する［１８］の無線端末。 
［２０］受信された干渉制御信号の電力レベルを測定するための電力測定手段を更に含み、 
前記ブロードキャスト決定手段は、前記レスポンス監視手段により前記第１のプライオリティー・レベルより高いプライオリティーを持つ干渉制御信号が検出された場合に、前記第１のプライオリティー・レベルより高いプライオリティーを持つ受信された少なくとも一つの干渉制御信号の電力レベルに基づいて、データをブロードキャストすることを開始するか否かを決定する［１９］の無線端末。 
［２１］前記無線端末がブロードキャストを開始する場合における、他のデバイスに対する干渉を判定するための干渉判定手段を更に含み、 
前記ブロードキャスト決定手段は、該ブロードキャストが開始するならば、前記第１のプライオリティー・レベルより高いプライオリティーを持つ前記干渉制御信号を送信した該デバイスに、閾値レベル以上の干渉レベルがもたらされるであろうことを前記干渉判定手段が判定する場合に、ブロードキャストしないことに決定する［２０］の無線端末。 
［２２］前記データをブロードキャストすることを開始するか否かの決定が、データをブロードキャストする決定である場合に、前記送信されたブロードキャスト・インジケータ・シグナルに対応するトラフィック・スロットにおいてデータをブロードキャストするように前記無線端末を制御するブロードキャスト制御手段を更に含む［２０］の無線端末。 
［２３］コンピュータープログラム製品において、前記コンピュータープログラム製品は、 
コンピュータに、データをブロードキャストする意図を示すブロードキャスト・インジケータ・シグナルを送信することを制御させるためのコードと、 
コンピュータに、前記ブロードキャスト・インジケータ・シグナルの送信の後に続く干渉制御信号を監視させるためのコードと、 
コンピュータに、前記監視の結果に基づいて、データをブロードキャストすることを開始するか否かを決定させるためのコードとを含むコンピュータ読み取り可能な媒体を含むコンピュータープログラム製品。 
［２４］第１のデバイスを操作する方法において、 
第２のデバイスから、該第２のデバイスによりデータをブロードキャストする意図を示す該第２のデバイスに対応する第１のプライオリティーを持つ第１のブロードキャスト・インジケータ・シグナルを受信することと、 
第３のデバイスから、該第３のデバイスによりデータをブロードキャストする意図を示す該第３のデバイスに対応する第２のプライオリティーを持つ第２のブロードキャスト・インジケータ・シグナルを受信することと、 
前記第１及び第２のブロードキャスト・インジケータ・シグナルの相対的なプライオリティーの関数として、干渉制御信号を送信するか否かに関する決定をすることを含む方法。
［２５］干渉制御信号を送信するか否かに関する決定をすることは、 
前記第２及び第３のデバイスのうちでより低いプライオリティーの一つが、前記第２及び第３のデバイスのうちでより高いプライオリティーの一つに対して容認できないレベルの干渉をもたらすか否か判定することと、 
前記干渉のレベルが容認できないことが判定された場合に、干渉制御信号を送信することを含む［２４］の方法。 
［２６］前記干渉制御信号は、前記第２及び第３のデバイスのうちでより高いプライオリティーの一つのプライオリティー・レベルに対応するプライオリティー・レベルで送信される［２５］の方法。 
［２７］前記干渉制御信号を送信することは、前記第２及び第３のデバイスのうちでより高いプライオリティーの一つのプライオリティー・レベルを持つ複数の干渉信号送信資源から、干渉信号資源を選択することを含む［２６］の方法。 
［２８］前記複数の干渉信号送信資源は、個々のＯＦＤＭトーンシンボルである［２６］の方法。 
［２９］前記第１及び第２のデバイスのプライオリティーは、時間とともに変化するものである［２６］の方法。 
［３０］無線通信デバイスにおいて、 
信号を受信するように構成された無線受信機モジュールと、 
（ｉ）前記受信した信号において、第２のデバイスからの第１のブロードキャスト・インジケータ・シグナル（該第１のブロードキャスト・インジケータ・シグナルは、該第２のデバイスに対応する第１のプライオリティーを持ち、該第１のブロードキャスト・インジケータ・シグナルは、該第２のデバイスによりデータをブロードキャストする意図を示す）を検出し、（ｉｉ）前記受信した信号において、第３のデバイスからの第２のブロードキャスト・インジケータ・シグナル（該第２のブロードキャスト・インジケータ・シグナルは、該第３のデバイスに対応する第２のプライオリティーを持ち、該第２のブロードキャスト・インジケータ・シグナルは、該第３のデバイスによりデータをブロードキャストする意図を示す）を検出するように構成されたブロードキャスト・インジケータ・シグナル監視モジュールと、 
前記第１及び第２のブロードキャスト・インジケータ・シグナルの相対的なプライオリティーの関数として、干渉制御信号を送信するか否かに関する決定をするように構成された干渉制御シグナリング決定モジュールとを含む無線通信デバイス。 
［３１］前記干渉決定シグナリング決定モジュールは、 
前記第２及び第３のデバイスのうちでより低いプライオリティーの一つが、前記第２及び第３のデバイスのうちでより高いプライオリティーの一つに対して容認できないレベルの干渉をもたらすか否か判定するように構成された干渉トレランス判定サブモジュールと、 
干渉制御信号を生成するように構成された干渉制御信号生成モジュールと、 
前記干渉制御シグナリング決定モジュールが干渉制御信号を送信することに決定する場合に、前記生成された干渉制御信号を送信するように無線送信機モジュールを制御するように構成された干渉制御信号制御モジュールとを含む［３０］の無線通信デバイス。 
［３２］前記干渉制御シグナリング決定モジュールは、前記干渉のレベルが容認できないと前記干渉トレランス判定サブモジュールが判定する場合に、干渉制御信号を送信することに決定する［３１］の無線通信デバイス。 
［３３］前記干渉制御信号制御モジュールは、前記第２及び第３のデバイスのうちでより高いプライオリティーの一つのプライオリティー・レベルに対応するプライオリティー・レベルで、前記生成された制御干渉信号を送信するように無線送信機モジュールを制御するように構成された［３１］の無線通信デバイス。 
［３４］前記干渉制御信号制御モジュールは、前記第２及び第３のデバイスのうちでより高いプライオリティーの一つのプライオリティー・レベルを持つ複数の干渉信号送信資源から、干渉信号資源を選択するように構成されたレスポンス資源選択モジュールを更に含む［３３］の無線通信デバイス。 
［３５］前記複数の干渉信号送信資源は、個々のＯＦＤＭトーンシンボルである［３３］の無線通信デバイス。 
［３６］前記第１及び第２のデバイスのプライオリティーは、時間とともに変化するものであり、 
前記通信デバイスは、デバイス識別子を、繰り返されるタイミング構造における複数のスロットの各々に関するプライオリティー・レベルに関連付けるために用いられる格納情報を更に含む［３３］の無線通信デバイス。 
［３７］無線通信デバイスにおいて、 
信号を受信するための無線受信機手段と、 
（ｉ）前記受信した信号において、第２のデバイスからの第１のブロードキャスト・インジケータ・シグナル（該第１のブロードキャスト・インジケータ・シグナルは、該第２のデバイスに対応する第１のプライオリティーを持ち、該第１のブロードキャスト・インジケータ・シグナルは、該第２のデバイスによりデータをブロードキャストする意図を示す）を検出し、（ｉｉ）前記受信した信号において、第３のデバイスからの第２のブロードキャスト・インジケータ・シグナル（該第２のブロードキャスト・インジケータ・シグナルは、該第３のデバイスに対応する第２のプライオリティーを持ち、該第２のブロードキャスト・インジケータ・シグナルは、該第３のデバイスによりデータをブロードキャストする意図を示す）を検出するためのブロードキャスト・シグナル監視手段と、 
前記第１及び第２のブロードキャスト・インジケータ・シグナルの相対的なプライオリティーの関数として、干渉制御信号を送信するか否かに関する決定をするための干渉制御シグナリング決定手段とを含む無線通信デバイス。 
［３８］前記干渉決定シグナリング決定モジュールは、 
前記第２及び第３のデバイスのうちでより低いプライオリティーの一つが、前記第２及び第３のデバイスのうちでより高いプライオリティーの一つに対して容認できないレベルの干渉をもたらすか否か判定するための干渉トレランス判定手段と、 
干渉制御信号を生成するための干渉制御信号生成手段と、 
前記干渉制御シグナリング決定手段が干渉制御信号を送信することに決定する場合に、前記生成された干渉制御信号を送信するように無線送信機モジュールを制御するための干渉制御信号制御手段とを含む［３７］の無線通信デバイス。 
［３９］前記干渉制御シグナリング決定手段は、前記干渉のレベルが容認できないと前記干渉トレランス判定手段が判定する場合に、干渉制御信号を送信することに決定する［３８］の無線通信デバイス。 
［４０］通信デバイスに用いられるコンピュータープログラム製品において、前記コンピュータープログラム製品は、 
コンピュータに、第２のデバイスから、該第２のデバイスによりデータをブロードキャストする意図を示す該第２のデバイスに対応する第１のプライオリティーを持つ第１のブロードキャスト・インジケータ・シグナルを受信させるためのコードと、 
コンピュータに、第３のデバイスから、該第３のデバイスによりデータをブロードキャストする意図を示す該第３のデバイスに対応する第２のプライオリティーを持つ第１のブロードキャスト・インジケータ・シグナルを受信させるためのコードと、 
コンピュータに、前記第１及び第２のブロードキャスト・インジケータ・シグナルの相対的なプライオリティーの関数として、干渉制御信号を送信するか否かに関する決定をさせるためのコードとを含むコンピュータ読み取り可能な媒体を含むコンピュータープログラム製品。
【図１】
0005551290.tif 000002
【図２】
0005551290.tif 000003
【図３】
0005551290.tif 000004
【図４】
0005551290.tif 000005
【図５】
0005551290.tif 000006
【図６】
0005551290.tif 000007
【図７】
0005551290.tif 000008
【図８】
0005551290.tif 000009
【図９】
0005551290.tif 000010
【図１０】
0005551290.tif 000011
【図１１】
0005551290.tif 000012